(57)【要約】      （修正有）【課題】建物外面に対する補修等の作業を行う場合の設備上の負担を少なくできる作業方法を提供する。【解決手段】建物１００のパラペット１０３に支持具１１０、１１１を設置し、各々に吊り下げロープ１１２、１１３を懸吊し、吊り下げロープ１１２、１１３に取り付けた登降装置１、５に吊り下げ式養生装置１２０を吊持する。吊り下げ式養生装置１２０は上方が開口した箱形であり、建物１００の外面に沿って昇降自在である。作業者Ａ、Ｂは屋上に支点確保した安全ロープ１０１、１０４に吊り下がりながら建物外面に対する作業を行う。作業者は安全ロープ１０１、１０４に体重を支持された状態で吊り下げ式養生装置１２０の中または上方で建物外面に対する作業をし、作業場所を上または下に移動するに連れて、登降装置１、５により吊り下げ式養生装置１２０を上または下に移動する。【選択図】図１
2019190263.tif 000002
【特許請求の範囲】
【請求項１】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けた登降装置により吊持するようにし、
作業者は安全ロープに体重を支持された状態で吊り下げ式養生装置の中または上方で建物外面に対する作業をし、
作業者が作業位置を上または下に移動するに連れて、登降装置により吊り下げ式養生装置を上または下に移動すること、
を特徴とする建物外面に対する作業方法。
【請求項２】
登降装置は、回転式電動工具の回転力を受けて登高動作可能としたこと、
を特徴とする請求項１記載の建物外面に対する作業方法。
【請求項３】
回転式電動工具は充電式としたこと、
を特徴とする請求項２記載の建物外面に対する作業方法。
【請求項４】
登降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたことを特徴とする請求項２または３記載の建物外面に対する作業方法。
【請求項５】
制限手段は、
減速手段の入力軸または出力軸に結合されて、吊り下げロープが入口部からプーリへ牽引される方向への回転を許容し、反対方向への回転を拘束して吊り下げロープが入口部から外側に引き出されるのを制限するラチェット機構と、
ラチェット機構による制限を解除する解除手段と、
を含むこと、
を特徴とする請求項４記載の建物外面に対する作業方法。
【請求項６】
制限手段は、
吊り下げロープが通る経路の途中に配備されて吊り下げロープが当接するロープ当接部と、
吊り下げロープが入口部から外側に引き出される方向へ移動しようとするとき、ロープ当接部に当接した吊り下げロープに食い込んで移動を制限し、反対方向へ移動しようとする際は、吊り下げロープから離間して移動を許容するように構成されたカムと、
カムを吊り下げロープに食い込む方向へ付勢する付勢手段と、
カムを吊り下げロープから離間させて制限を解除する解除手段と、
を含むこと、
を特徴とする請求項４記載の建物外面に対する作業方法。
【請求項７】
ロープ当接部は、入口部より外側または入口部とプーリの間またはプーリと出口部の間に配備したこと、
を特徴とする請求項６記載の建物外面に対する作業方法。
【請求項８】
入口部及び出口部をプーリから間隔を開けて設けるとともに、
入口部及び出口部とプーリの間に、吊り下げロープの入口側ロープと出口側ロープを分離する分離部を設けたこと、
を特徴とする請求項４乃至７の内のいずれか一項記載の建物外面に対する作業方法。
【請求項９】
入口部及び出口部をプーリから間隔を開けて設けるとともに、
入口部及び出口部とプーリの間に、吊り下げロープの入口側ロープと出口側ロープを分離する分離部を設け、
ロープ当接部を分離部と一体にして備えたこと、
を特徴とする請求項６記載の建物外面に対する作業方法。
【請求項１０】
支持体にプーリの前面を開閉自在に覆うプーリカバーと、
プーリカバーを閉状態にロックしたり、ロック解除したりするロック手段を備えたこと、
を特徴とする請求項４乃至９の内のいずか一項記載の建物外面に対する作業方法。
【請求項１１】
入口部と出口部は、間隔を開けて対向配置されており、
入口部と出口部の隙間を通して外部と入口部の間で吊り下げロープを出し入れしたり、外部と出口部の間で吊り下げロープを出し入れ可能に形成されており、
プーリカバーに、閉状態にロックされたとき入口部と出口部の間の隙間に入り吊り下げロープが入口部または出口部から外れるのを邪魔する邪魔部を設けたこと、
を特徴とする請求項１０記載の建物外面に対する作業方法。
【請求項１２】
支持体に、他のロープを着脱自在に取り付けるロープ取り付け部を備えたこと、
を特徴とする請求項４乃至１１の内のいずか一項記載の建物外面に対する作業方法。
【請求項１３】
支持体に、吊り下げロープを掛け止める掛け止め部を備えたこと、
を特徴とする請求項４乃至１２の内のいずか一項記載の建物外面に対する作業方法。
【請求項１４】
減速手段の入力軸に着脱自在で手動で入力軸を回転する手動回転工具を備えたこと、
を特徴とする請求項４乃至１３の内のいずか一項記載の建物外面に対する作業方法。
【請求項１５】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動すること、
を特徴とする建物外面に対する作業方法。
【請求項１６】
ロープ昇降装置は、回転式電動工具の回転力を受けて吊り下げロープの上昇を可能としたこと、
を特徴とする請求項１５記載の建物外面に対する作業方法。
【請求項１７】
回転式電動工具は充電式としたこと、
を特徴とする請求項１６記載の建物外面に対する作業方法。
【請求項１８】
ロープ昇降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたことを特徴とする請求項１６または１７記載の建物外面に対する作業方法。
【請求項１９】
制限手段は、
減速手段の入力軸または出力軸に結合されて、吊り下げロープが入口部からプーリへ牽引される方向への回転を許容し、反対方向への回転を拘束して吊り下げロープが入口部から外側に引き出されるのを制限するラチェット機構と、
ラチェット機構による制限を解除する解除手段と、
を含むこと、
を特徴とする請求項１８記載の建物外面に対する作業方法。
【請求項２０】
制限手段は、
吊り下げロープが通る経路の途中に配備されて吊り下げロープが当接するロープ当接部と、
吊り下げロープが入口部から外側に引き出される方向へ移動しようとするとき、ロープ当接部に当接した吊り下げロープに食い込んで移動を制限し、反対方向へ移動しようとする際は、吊り下げロープから離間して移動を許容するように構成されたカムと、
カムを吊り下げロープに食い込む方向へ付勢する付勢手段と、
カムを吊り下げロープから離間させて制限を解除する解除手段と、
を含むこと、
を特徴とする請求項１８記載の建物外面に対する作業方法。
【請求項２１】
ロープ当接部は、入口部より外側または入口部とプーリの間またはプーリと出口部の間に配備したこと、
を特徴とする請求項２０記載の建物外面に対する作業方法。
【請求項２２】
入口部及び出口部をプーリから間隔を開けて設けるとともに、
入口部及び出口部とプーリの間に、吊り下げロープの入口側ロープと出口側ロープを分離する分離部を設けたこと、
を特徴とする請求項１８乃至２１の内のいずれか一項記載の建物外面に対する作業方法。
【請求項２３】
入口部及び出口部をプーリから間隔を開けて設けるとともに、
入口部及び出口部とプーリの間に、吊り下げロープの入口側ロープと出口側ロープを分離する分離部を設け、
ロープ当接部を分離部と一体にして備えたこと、
を特徴とする請求項２０記載の建物外面に対する作業方法。
【請求項２４】
支持体にプーリの前面を開閉自在に覆うプーリカバーと、
プーリカバーを閉状態にロックしたり、ロック解除したりするロック手段を備えたこと、
を特徴とする請求項１８乃至２３の内のいずか一項記載の建物外面に対する作業方法。
【請求項２５】
入口部と出口部は、間隔を開けて対向配置されており、
入口部と出口部の隙間を通して外部と入口部の間で吊り下げロープを出し入れしたり、外部と出口部の間で吊り下げロープを出し入れ可能に形成されており、
プーリカバーに、閉状態にロックされたとき入口部と出口部の間の隙間に入り吊り下げロープが入口部または出口部から外れるのを邪魔する邪魔部を設けたこと、
を特徴とする請求項２４記載の建物外面に対する作業方法。
【請求項２６】
支持体に、他のロープを着脱自在に取り付けるロープ取り付け部を備えたこと、
を特徴とする請求項１８乃至２５の内のいずか一項記載の建物外面に対する作業方法。
【請求項２７】
支持体に、吊り下げロープを掛け止める掛け止め部を備えたこと、
を特徴とする請求項１８乃至２６の内のいずか一項記載の建物外面に対する作業方法。
【請求項２８】
減速手段の入力軸に着脱自在で手動で入力軸を回転する手動回転工具を備えたこと、
を特徴とする請求項１８乃至２７の内のいずか一項記載の建物外面に対する作業方法。
【請求項２９】
建物の屋上から作業者が安全ロープに吊り下がりながら建物外面に対する作業を行う方法であって、
建物屋上のパラペットに固定した支持具から垂らした吊り下げロープに、上方が開口した箱形の吊り下げ式養生装置を吊り下げ、
作業者は安全ロープに体重を支持された状態で吊り下げ式養生装置の中または上方で建物外面に対する作業をすること、
を特徴とする建物外面に対する作業方法。
【請求項３０】
吊り下げ式養生装置は、下部に設けられた上向きに開口した箱形の装置本体と、装置本体の上側に備えられて、上方と建物側前面以外を養生シートまたは養生ネットでコ字状に囲う囲い養生部を含むこと、
を特徴とする請求項１乃至２９の内のいずか一項記載の建物外面に対する作業方法。
【請求項３１】
建物の外面に対する作業空間を確保しながら屋上近くから吊り下げ式養生装置近くまで、または屋上近くから地上近くまで養生シートまたは養生ネットを配設すること、
を特徴とする請求項１乃至３０の内のいずか一項記載の建物外面に対する作業方法。
【請求項３２】
建物の外面に対する作業空間を確保しながら吊り下げ式養生装置の上方から吊り下げ式養生装置近くまで、または吊り下げ式養生装置の上方から吊り下げ式養生装置の下方まで養生シートまたは養生ネットを配設すること、
を特徴とする請求項１乃至３０の内のいずか一項記載の建物外面に対する作業方法。
【発明の詳細な説明】
【技術分野】
【０００１】
本発明は建物外面に対する作業方法に係り、とくにマンション、ビル等の建築物の新築・改修・点検・清掃等に好適な建物外面に対する作業方法に関する。
【背景技術】
【０００２】
従来から高層ビルの外壁補修・清掃等は、足場の構築が困難であったり、多大なコストが掛かることから、屋上から昇降自在に吊り下げたゴンドラ装置に作業員が乗って作業を行っていた。作業員の乗った状態のゴンドラ装置は重量がかなり重く、大掛かりな昇降装置が必要となるなど設備上の負担が大きい欠点があった。
【発明の概要】
【発明が解決しようとする課題】
【０００３】
本発明は上記した従来技術の問題に鑑みなされたもので、設備上の負担が少なくて済む建物外面に対する作業方法を提供することを、その目的とする。
【課題を解決するための手段】
【０００４】
請求項１記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けた登降装置により吊持するようにし、
作業者は安全ロープに体重を支持された状態で吊り下げ式養生装置の中または上方で建物外面に対する作業をし、
作業者が作業位置を上または下に移動するに連れて、登降装置により吊り下げ式養生装置を上または下に移動すること、
を特徴としている。
請求項２記載の発明では、
登降装置は、回転式電動工具の回転力を受けて登高動作可能としたこと、
を特徴としている。
請求項３記載の発明では、
回転式電動工具は充電式としたこと、
を特徴としている。
請求項４記載の発明では、
登降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたことを特徴としている。
請求項５記載の発明では、
制限手段は、
減速手段の入力軸または出力軸に結合されて、吊り下げロープが入口部からプーリへ牽引される方向への回転を許容し、反対方向への回転を拘束して吊り下げロープが入口部から外側に引き出されるのを制限するラチェット機構と、
ラチェット機構による制限を解除する解除手段と、
を含むこと、
を特徴としている。
請求項６記載の発明では、
制限手段は、
吊り下げロープが通る経路の途中に配備されて吊り下げロープが当接するロープ当接部と、
吊り下げロープが入口部から外側に引き出される方向へ移動しようとするとき、ロープ当接部に当接した吊り下げロープに食い込んで移動を制限し、反対方向へ移動しようとする際は、吊り下げロープから離間して移動を許容するように構成されたカムと、
カムを吊り下げロープに食い込む方向へ付勢する付勢手段と、
カムを吊り下げロープから離間させて制限を解除する解除手段と、
を含むこと、
を特徴としている。
請求項７記載の発明では、
ロープ当接部は、入口部より外側または入口部とプーリの間またはプーリと出口部の間に配備したこと、
を特徴としている。
請求項８記載の発明では、
入口部及び出口部をプーリから間隔を開けて設けるとともに、
入口部及び出口部とプーリの間に、吊り下げロープの入口側ロープと出口側ロープを分離する分離部を設けたこと、
を特徴としている。
請求項９記載の発明では、
入口部及び出口部をプーリから間隔を開けて設けるとともに、
入口部及び出口部とプーリの間に、吊り下げロープの入口側ロープと出口側ロープを分離する分離部を設け、
ロープ当接部を分離部と一体にして備えたこと、
を特徴としている。
請求項１０記載の発明では、
支持体にプーリの前面を開閉自在に覆うプーリカバーと、
プーリカバーを閉状態にロックしたり、ロック解除したりするロック手段を備えたこと、
を特徴としている。
請求項１１記載の発明では、
入口部と出口部は、間隔を開けて対向配置されており、
入口部と出口部の隙間を通して外部と入口部の間で吊り下げロープを出し入れしたり、外部と出口部の間で吊り下げロープを出し入れ可能に形成されており、
プーリカバーに、閉状態にロックされたとき入口部と出口部の間の隙間に入り吊り下げロープが入口部または出口部から外れるのを邪魔する邪魔部を設けたこと、
を特徴としている。
請求項１２記載の発明では、
支持体に、他のロープを着脱自在に取り付けるロープ取り付け部を備えたこと、
を特徴としている。
請求項１３記載の発明では、
支持体に、吊り下げロープを掛け止める掛け止め部を備えたこと、
を特徴としている。
請求項１４記載の発明では、
減速手段の入力軸に着脱自在で手動で入力軸を回転する手動回転工具を備えたこと、
を特徴としている。
請求項１５記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動すること、
を特徴としている。
請求項１６記載の発明では、
ロープ昇降装置は、回転式電動工具の回転力を受けて吊り下げロープの上昇を可能としたこと、
を特徴としている。
請求項１７記載の発明では、
回転式電動工具は充電式としたこと、
を特徴としている。
請求項１８記載の発明では、
ロープ昇降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたことを特徴としている。
請求項１９記載の発明では、
制限手段は、
減速手段の入力軸または出力軸に結合されて、吊り下げロープが入口部からプーリへ牽引される方向への回転を許容し、反対方向への回転を拘束して吊り下げロープが入口部から外側に引き出されるのを制限するラチェット機構と、
ラチェット機構による制限を解除する解除手段と、
を含むこと、
を特徴としている。
請求項２０記載の発明では、
制限手段は、
吊り下げロープが通る経路の途中に配備されて吊り下げロープが当接するロープ当接部と、
吊り下げロープが入口部から外側に引き出される方向へ移動しようとするとき、ロープ当接部に当接した吊り下げロープに食い込んで移動を制限し、反対方向へ移動しようとする際は、吊り下げロープから離間して移動を許容するように構成されたカムと、
カムを吊り下げロープに食い込む方向へ付勢する付勢手段と、
カムを吊り下げロープから離間させて制限を解除する解除手段と、
を含むこと、
を特徴としている。
請求項２１記載の発明では、
ロープ当接部は、入口部より外側または入口部とプーリの間またはプーリと出口部の間に配備したこと、
を特徴としている。
請求項２２記載の発明では、
入口部及び出口部をプーリから間隔を開けて設けるとともに、
入口部及び出口部とプーリの間に、吊り下げロープの入口側ロープと出口側ロープを分離する分離部を設けたこと、
を特徴としている。
請求項２３記載の発明では、
入口部及び出口部をプーリから間隔を開けて設けるとともに、
入口部及び出口部とプーリの間に、吊り下げロープの入口側ロープと出口側ロープを分離する分離部を設け、
ロープ当接部を分離部と一体にして備えたこと、
を特徴としている。
請求項２４記載の発明では、
支持体にプーリの前面を開閉自在に覆うプーリカバーと、
プーリカバーを閉状態にロックしたり、ロック解除したりするロック手段を備えたこと、
を特徴としている。
請求項２５記載の発明では、
入口部と出口部は、間隔を開けて対向配置されており、
入口部と出口部の隙間を通して外部と入口部の間で吊り下げロープを出し入れしたり、外部と出口部の間で吊り下げロープを出し入れ可能に形成されており、
プーリカバーに、閉状態にロックされたとき入口部と出口部の間の隙間に入り吊り下げロープが入口部または出口部から外れるのを邪魔する邪魔部を設けたこと、
を特徴としている。
請求項２６記載の発明では、
支持体に、他のロープを着脱自在に取り付けるロープ取り付け部を備えたこと、
を特徴としている。
請求項２７記載の発明では、
支持体に、吊り下げロープを掛け止める掛け止め部を備えたこと、
を特徴としている。
請求項２８記載の発明では、
減速手段の入力軸に着脱自在で手動で入力軸を回転する手動回転工具を備えたこと、
を特徴としている。
請求項２９記載の発明では、
建物の屋上から作業者が安全ロープに吊り下がりながら建物外面に対する作業を行う方法であって、
建物屋上のパラペットに固定した支持具から垂らした吊り下げロープに、上方が開口した箱形の吊り下げ式養生装置を吊り下げ、
作業者は安全ロープに体重を支持された状態で吊り下げ式養生装置の中または上方で建物外面に対する作業をすること、
を特徴としている。
請求項３０記載の発明では、
吊り下げ式養生装置は、下部に設けられた上向きに開口した箱形の装置本体と、装置本体の上側に備えられて、上方と建物側前面以外を養生シートまたは養生ネットでコ字状に囲う囲い養生部を含むこと、
を特徴としている。
請求項３１記載の発明では、
建物の外面に対する作業空間を確保しながら屋上近くから吊り下げ式養生装置近くまで、または屋上近くから地上近くまで養生シートまたは養生ネットを配設すること、
を特徴としている。
請求項３２記載の発明では、
建物の外面に対する作業空間を確保しながら吊り下げ式養生装置の上方から吊り下げ式養生装置近くまで、または吊り下げ式養生装置の上方から吊り下げ式養生装置の下方まで養生シートまたは養生ネットを配設すること、
を特徴としている。
【発明の効果】
【０００５】
本発明によれば、作業者が建物屋上から下がった安全ロープに支持されて建物外面に対する作業を行うに際し、吊り下げ式養生装置の中または上方で作業を行うことができ、作業で生じた壁・補修部材等の破片や道具等の落下を防止できる。また、吊り下げ式養生装置に作業者の体重を掛けないので、吊り下げ式養生装置、支持具、登降装置、ロープ昇降装置等をそれほど頑強・大型にする必要はなく、設備負担が少なくて済む。
また他の本発明によれば、登降装置は作業者が携帯する電動工具により登高動作をさせることができ、作業者が手動で吊り上げ式養生装置を上昇させなくて済み、作業負担が少ない。
また他の発明によれば、登降装置またはロープ昇降装置に、小型で減速比の大きな差動減速式の減速手段を用いたことにより、制限手段を解除した状態でプーリを逆転させながら吊り下げロープを入口側から外側に引き出す際、緩行動作を行わせることができる。
また他の発明によれば、入口部及び出口部をプーリから間隔を開けて設けるとともに、入口部及び出口部とプーリの間に吊り下げロープの入口側ロープと出口側ロープを分離する分離部を設けたので、プーリの正転時に出口側ロープがプーリの入口側に巻き込まれたり、プーリの逆転時に入口側ロープがプーリの出口側に巻き込まれるのを防止できる。
また他の発明によれば、入口部及び出口部は、間隔を開けて対向配置された入口部及び出口部を含み、入口部と出口部の間の隙間を通して外部と入口部の間で吊り下げロープを出し入れしたり、外部と出口部の間で吊り下げロープを出し入れ可能に形成したので、プーリへの吊り下げロープの装填・取り外しが容易になるとともに、プーリカバーに、閉状態にロックされたとき入口部と出口部の間の隙間に入り吊り下げロープが入口部または出口部から外れるのを邪魔する邪魔部を設けたので、使用中に吊り下げロープが入口部または出口部から外れてプーリカバーを不用意に開放するのを防止できる。
また他の発明によれば、支持体に、吊り下げロープを巻き掛けて止める掛け止め部を備えたので、吊り下げロープの入口側に張力が掛かった状態で制限手段による入口部から外側へのロープ移動の制限を解除し、入口部から外側へ吊り下げロープを移動させたい場合に、予め、出口側ロープを掛け止め部に巻き掛けて掛け止めておくことにより、制限手段を解除した際に急に吊り下げロープが逆方向へ移動しないようにできる。また、掛け止め部に摺接させながら移動させることで、摩擦ブレーキを効かせることもできる。
また他の発明によれば、制限手段による入口部から外側へのロープ移動の制限を解除したい場合に、手動回転具を用いて減速手段の入力軸を手動で正転させてプーリをゆっくり正転させながら操作部により解除操作をすることで、容易に解除することができる。
また他の発明によれば、建物の外面に対する作業空間を確保しながら屋上近くから吊り下げ式養生装置近くまで、または地上近くまで養生シートまたは養生ネットを配設することにより、屋上近くから吊り下げ式養生装置までの間で作業しているときに壁や補修部材等の破片や作業道具等を落下させても、建物の周囲への飛散を防止できる。
また他の発明によれば、建物の外面に対する作業空間を確保しながら吊り下げ式養生装置の上方から吊り下げ式養生装置近くまで、または吊り下げ式養生装置の上方から吊り下げ式養生装置の下方まで養生シートまたは養生ネットを配設することにより、吊り下げ式養生装置の上方で作業しているときに壁や補修部材等の破片や作業道具等を落下させても、建物の周囲への飛散を防止できる。
【図面の簡単な説明】
【０００６】
【図１】本発明の第１実施例に係る建物外面に対する作業方法の説明図である（実施例１）。
【図２】図１中の吊り下げ式養生装置の外観斜視図である。
【図３】図２中の登降装置の前面を開放した状態を示す正面図である。
【図４】図３の背面図である。
【図５】図３の左側面図である。
【図６】図３の登降装置の前面を閉塞した状態を示す正面図である。
【図７】図３中のカムの組み立て図である。
【図８】図３の登降装置のカムの動作説明図である。
【図９】図３の登降装置のカムの動作説明図である。
【図１０】図３の登降装置のカムの動作説明図である。
【図１１】図３の登降装置のカムの動作説明図である。
【図１２】図３の登降装置の使用方法の説明図である。
【図１３】図３の登降装置の使用方法の説明図である。
【図１４】図３の登降装置の使用方法の説明図である。
【図１５】図３の登降装置の使用方法の説明図である。
【図１６】図１中の登降装置に代えて使用可能なロープ牽引装置の外観斜視図である。
【図１７】図１６のロープ牽引装置の正面図である。
【図１８】図１６のロープ牽引装置の側面図である。
【図１９】図１６のロープ牽引装置の平面図である。
【図２０】図１６のロープ牽引装置の背面図である。
【図２１】図１６のロープ牽引装置のプーリカバーとヒンジ部を省略した斜視図である。
【図２２】図１６のロープ牽引装置のプーリカバーを省略した側面図である。
【図２３】図１６のロープ牽引装置のプーリカバーとプーリを省略した斜視図である。
【図２４】図２４（１）はプーリカバーをロックするロック部材の斜視図、（２）は正面図、（３）は平面図、（４）は側面図である。
【図２５】図１６のロープ牽引装置の外蓋を省略した背面図である。
【図２６】図２５中の制限手段の構成を示す一部省略した拡大図である。
【図２７】図２６の制限手段の作用説明図である。
【図２８】図２８（１）はロープ牽引装置を駆動する充電式電動ドライバの説明図、（２）は（１）のXXVIII-XXVIII'線に沿った断面図である。
【図２９】図２９（１）はロープ牽引装置を駆動する手動式回転工具の説明図、（２）は（１）のXXIX-XXIX'線に沿った断面図である。
【図３０】図１６のロープ牽引装置の使用方法の説明図である。
【図３１】図１６のロープ牽引装置の変形例を示す正面図である。
【図３２】図３１の平面図である。
【図３３】図１６のロープ牽引装置の他の変形例を示す正面図である。
【図３４】図３３のロープ牽引装置の使用方法の説明図であり、プーリカバーを省略してある。る。
【図３５】図３３のロープ牽引装置の使用方法の説明図である。
【図３６】図１６のロープ牽引装置の更に他の変形例を示す一部破断した正面図である。
【図３７】図３６のロープ牽引装置のプーリカバーを省略した正面図である。
【図３８】図３６のロープ牽引装置の使用方法の説明図であり、プーリカバーを省略してある。
【図３９】図３６のロープ牽引装置の使用方法の説明図であり、プーリカバーを省略してある。
【図４０】第１実施例の変形例に係る建物外面に対する作業方法の説明図である。
【図４１】第１実施例の変形例に係る建物外面に対する作業方法の説明図である。
【図４２】本発明の第２実施例に係る建物外面に対する作業方法の説明図である（実施例２）。
【図４３】第２実施例に係る作業方法の準備手順の説明図である。
【図４４】第２実施例に係る作業方法の準備手順の説明図である。
【図４５】第２実施例に係る作業方法の準備手順の説明図である。
【図４６】第２実施例に係る作業方法の準備手順の説明図である。
【図４７】第２実施例に係る作業方法の準備手順の説明図である。
【図４８】第２実施例の変形例に係る建物外面に対する作業方法の説明図である。
【発明を実施するための最良の形態】
【０００７】
以下、本発明の最良の形態を実施例に基づき説明する。
【実施例１】
【０００８】
図１乃至図７を参照して本発明に係る建物外面に対する作業方法の実施例を説明する。図１は本発明に係る建物外面に対する作業方法の説明図、図２は図１中の吊り下げ式養生装置の外観斜視図、図３乃至図１５は図２中の登降装置の説明図である。
図１において、１００は建物であり、二人の作業者Ａ、Ｂが安全ロープに吊り下げられながら建物１００の外面に対する塗装等の保守・修繕作業を行う（「ロープアクセス技術」と呼ばれる）。１０１と１０２は一端側が建物１の屋上に支点確保されるとともに、他端側がパラペット１０３を越えて屋上から垂下されたメイン側とバックアップ側の安全ロープであり、メイン側の安全ロープ１０１に取り付けた図示しない昇降器具（アッセンダー、ディッセンダーなど）に作業者Ａの装着した安全帯から延設されたメイン側のランヤード先端のフックが掛着されて作業者Ａの荷重が支持される。一方、バックアップ側の安全ロープ１０２に取り付けた図示しない墜落防止器具（アサップなど）に作業者Ａの装着した安全帯から延設されたバックアップ側のランヤード先端のフックが掛着されて作業者Ａの墜落防止が図られる。
【０００９】
１０４と１０５は一端側が建物１の屋上に支点確保されるとともに、他端側がパラペット１０３を越えて屋上から垂下されたメイン側とバックアップ側の安全ロープであり、メイン側の安全ロープ１０４に取り付けた図示しない昇降器具（アッセンダー、ディッセンダーなど）に作業者Ｂの装着した安全帯から延設されたメイン側のランヤード先端のフックが掛着されて作業者Ｂの荷重が支持される。一方、バックアップ側の安全ロープ１０５に取り付けた図示しない墜落防止器具（アサップなど）に作業者Ｂの装着した安全帯から延設されたバックアップ側のランヤード先端のフックが掛着されて作業者Ｂの墜落防止が図られる。
【００１０】
１１０と１１１は、パラペット１０３に着脱自在に固定されるとともにパラペット１０３より建物外側方向へ延設された支持具であり、各々、先端近くに吊り下げロープ（ここでは繊維ロープとする）１１２と１１３の上端が懸吊されている。１２０は上方が開口した横長で箱形の吊り下げ式養生装置であり、作業者Ａ、Ｂが建物１の外面に対し作業している途中で、作業道具や補修部材等を地上に落下させてしまうのを防止するためのものである。支持具１１０、１１１の間隔は吊り下げ式養生装置１２０の横幅とほぼ同じである。
【００１１】
吊り下げ式養生装置１２０は図２に示す如く、鋼製またはアルミ製で上方に開口し、横幅が３乃至５ｍ程度、高さが５０乃至８０ｃｍ程度、前後方向が１乃至１．５ｍ程度の横長箱形の装置本体１２１と、装置本体１２１の上に起立状態と倒伏状態とに折り畳み自在に装着されて、建物１００の外面に向いた方向を前方として、装置本体１２１の上側空間の左右側面と背面を養生シートでコの字状に囲って養生を行う囲い養生部１２２と、装置本体１２１の内、建物１００の外面側である前面壁１２３の左右端部の上下に装着されて建物１００の外面に当接して回転自在なガイドローラ１２４と、前面壁１２３の上端縁に左右方向に沿って装着されて斜め上向きに配設された鋼製またはアルミ製で横長の落下防止板１２５を備えている。ガイドローラ１２４が建物１の外面に当接した状態のとき、落下防止板１２５の建物寄りの先端は建物１００の外面に僅かな間隔で近接する。装置本体１２１の底面の四隅にはキャスター（図示せず）が装着されている。
【００１２】
囲い養生部１２２は、高さが５０乃至８０ｃｍ程度であり、装置本体１２１の背面壁１２６の上端縁にヒンジ１２７により起伏自在に装着された背面シート養生部１２８と、左側面壁１２９の上端縁にヒンジ１２７により起伏自在に装着された左面シート養生部１３０と、右側面壁１３１の上端縁にヒンジ１２７により起伏自在に装着された右面シート養生部１３２とから成る。
背面シート養生部１２８はヒンジ１２７を介して背面壁１２６に装着された鋼製またはアルミ製の枠体１３３と枠体１３３に張設された養生シート（メッシュシート）１３４からなり、左面シート養生部１３０はヒンジ１２７を介して左側面壁１２９に装着された鋼製またはアルミ製の枠体１３５と枠体１３５に張設された養生シート（メッシュシート）１３６からなり、右面シート養生部１３２はヒンジ１２７を介して右側面壁１３１に装着された鋼製またはアルミ製の枠体１３７と枠体１３７に張設された養生シート（メッシュシート）１３８からなる。
【００１３】
起立状態の背面シート養生部１２８の枠体１３３の左端部に突設されたピン１３９に板状の留め金具１４０の端部が回動自在に軸支されており、枠体１３３の右端部に突設されたピン１４１に板状の留め金具１４２の端部が回動自在に軸支されている。また、起立状態の左面シート養生部１３０の枠体１３５の背面寄り端部にピン１４３が突設されており、起立状態の右面シート養生部１３２の枠体１３７の背面寄り端部にピン１４４が突設されている。ピン１４３に留め金具１１４０のピン孔（図示せず）を着脱自在に嵌合し、ピン１４４に留め金具１４２のピン孔（図示せず）を着脱自在に嵌合することにより、背面シート養生部１２８、左面シート養生部１３０、右面シート養生部１３２を装置本体１２１の上側に起立させることができる。反対に、ピン１４３、１４４から留め金具１４０、１４２を外すことにより、各背面シート養生部１２８、左面シート養生部１３０、右面シート養生部１３２を装置本体１２０の背面壁１２６の外側、左側面壁１２９の外側、右側面壁１３０の外側に倒伏させることができる（図１の矢印参照）。
【００１４】
装置本体１２１の左側上端近く内側の前後の隅にはロープ取り付け板１４５、１４６が固着されており、装置本体１２１の右側上端近く内側の前後の隅にはロープ取り付け板１４７、１４８が固着されている。各ロープ取り付け板１４５乃至１４８にはロープ取り付け孔１４９が穿設されている。
一方、左側の支持具１１０から懸吊された吊り下げロープ１１２の内、吊り下げ式養生装置１２０の左端の上端近くに登降装置１が取り付けられており、この登降装置１に着脱自在に掛着したカラビナ２に懸吊された２本のロープ（繊維ロープまたはワイヤロープ）３、４が左側のロープ取り付け板１４５、１４６のロープ取り付け孔１４９に取り付けられている。同様に、右側の支持具１１１から懸吊された吊り下げロープ１１３の内、吊り下げ式養生装置２０の右端の上端近くに、登降装置５が取り付けられており、この登降装置５に着脱自在に掛着したカラビナ６に懸吊された２本のロープ７、８が右側のロープ取り付け板１４７、１４８のロープ取り付け孔１４９に取り付けられている。
【００１５】
登降装置１、５は作業員Ａ、Ｂが操作して吊り下げ式養生装置１２０を任意の高さ位置に昇降させるためのものであり、上昇は作業員Ａ、Ｂの携帯する電動ドライバの動力で行い、下降は吊り下げ式養生装置１２０の重量を利用して行うようになっている。登降装置１、５はこの実施例では本願発明者が先に出願した特開２０１７−１５８８１６号の登高器と同じ構成であり、以下詳述する。
【００１６】
登降装置１、５の内、登降装置１の構成を図３乃至図７に示す。
図３は登降装置１の前面を開放した状態を示す正面図、図４は図３の登降装置１の背面図、図５は図３の登降装置１の左側面図、図６は図３の登降装置１の前面を閉塞した状態を示す正面図、図７は図３中のカムの組み立て図である。
これらの図において、１は動力式の登降装置であり、作業者Ａ、Ｂが携帯する充電式の電動ドライバにより駆動力を得て吊り下げロープ１１２（図１２参照）を任意の高さ位置に登高可能になっている。
【００１７】
登降装置１は背面側に縦に長い略六角形状の支持部材としての固定プレート１０を備えており、この固定プレート１０は背面部１１の上端部の左右両側が前面側に湾曲されて、背面部１１から一定距離おいて前面側の左右両上隅部分を覆うように設けられたアーム部１２、１３と、背面部１１の上端の中央部分からＬ字状に折曲されて背面部１１と平行に一定距離おいて固定プレート１０の中央付近まで延設された前側支持部１４を有している。固定プレート１０の背面部１１の中央と前側支持部１４の下端部との間に支軸１５が固着されており、この支軸１５にプーリ１６が回転自在に軸支されている。プーリ１６は着脱自在に巻き掛けられる吊り下げロープ１１２を周方向へ移動させる機能を有する。
【００１８】
固定プレート１０の背面部１１の上端部中央と前側支持部１４の上端部との間に、充電式の電動ドライバの出力軸（図５の符号１５０、１５１参照）を着脱自在に結合可能で、電動ドライバ１５０から回転力が入力される入力軸１７が回転自在かつ支軸１５と平行に軸支されている。入力軸１７は六角軸の形状を有し、電動ドライバ１５０の出力軸であるチャック部１５１を着脱自在に装着可能である。入力軸１７はプーリ１６の外周より半径方向外側に配置されている。プーリ１６にはプーリ１６の外径より大きい径の歯車１８が同軸上に一体化されており、プーリ１６と一体的に回転する（なお、歯車１８の外径はプーリ１６の外径と同一または小さくても良い）。入力軸１７には歯車１８と歯合する小径の歯車１９が同軸上に一体化されている。これらの歯車１８、１９により、入力軸１７に加えられた回転力を減速してプーリ１６に伝達する歯車伝達機構２０が構成されている。
【００１９】
固定プレート１０の前面側の内、アーム部１２、１３と前側支持部１４以外の部分は吊り下げロープ１１２を登降装置１の前面側からプーリ１６に着脱自在とする開放部３０となっている。前側支持部１４の上部の左右両端と固定プレート１０の背面部１１の間には、吊り下げロープ１１２が入力軸１７、歯車１９と接触しないようにするためのガイド板３１、３２が背面部１１から垂設して設けられている。また、左右のアーム部１２、１３と固定プレート１０の背面部１１の間には吊り下げロープ１１２の侵入進路と脱出進路を案内するガイドローラ３３、３４がガイド板３１、３２から距離をおいて回転自在に軸支されている。ガイドローラ３３とガイド板３１の間の空間により吊り下げロープ１１２を登降装置１の外部からプーリ１６へ案内するロープ入口通路３５が形成されており、ガイドローラ３４とガイド板３２の間の空間により吊り下げロープ１１２をプーリ１６から登降装置１の外部へ案内するロープ出口通路３６が形成されている。アーム部１２の先端縁３７とガイド板３１の間、アーム部１３の先端縁３８とガイド板２３の間には吊り下げロープ１１２を登降装置１の前面側からロープ入口通路３５、ロープ出口通路３６へ挿脱可能な隙間Ｓ１、Ｓ２が空いている。
【００２０】
固定プレート１０の背面部１１の下端部で、プーリ１６及び歯車１８の下方にはカラビナ掛着用の穴４０が空いた円筒状の支軸４１が背面部１１から垂直に装着されている。支軸４１の前端部には固定プレート１０の前面側の開放部３０を閉塞・開放する可動の閉塞部材としてのガードプレート４２が回動自在に軸支されている。ガードプレート４２は略洋ナシ形に形成されており、開放部３０を閉塞した状態から１８０度回動させたときの上端部が支軸４１に軸支されている（図３参照）。ガードプレート４２は開放部３０を閉塞する位置に回動したとき、開放部３０の背面に前側支持部１４の前面が近接する（図６参照）。プーリ１６の支軸１５の前面側にはプッシュボタン４３が装備されており、このプッシュボタン４３の先端部は円柱凸形に形成されており、前側支持部１４より前方に突出して設けられている（図５参照）。プッシュボタン４３は図示しないコイルバネにより前方へ付勢されており、先端部を指で登降装置１の背面方向へ押圧することで、前側支持部１４と略同一の高さまで押し込み可能となっており、指を放すと元の突出状態に復帰する。
【００２１】
ガードプレート４２の中央付近には開放部３０を覆う位置に回動したときにプッシュボタン４３に係合する半楕円状の係合穴部４４が形成されている。また、下方へ回動して開状態にあるガードプレート４２の係合穴部４４の右端からガードプレート４２の右端縁まで断面がドーム状に前方へ膨出されるとともに正面視が部分円環状に形成された膨出部４５が設けられている。膨出部４５はプッシュボタン４３をガードプレート４２の外側から係合穴部４４まで通過可能とする。係合穴部４４の図３における上側と下側及び左側を囲むようにして、硬質ゴムから成る横向きＵ字状の保護部材４６が被着されている。保護部材４６は作業者が復帰状態にあるプッシュボタン４３を押圧するときの段差感を軽減するものであり、この保護部材４６の断面は山形に形成されている。図６に示す如くガードプレート４２を開放部３０を閉塞する位置に移動したとき、係合穴部４４の内、膨出部４５と反対側の端縁４７が押し込み状態または復帰状態にあるプッシュボタン４３と係合するようになっており、ガードプレート３２の図６における反時計方向への回動規制がなされる。また、膨出部４５の内、係合穴部４４の側の端縁４８が前方復帰状態にあるプッシュボタン４３と係合するようになっており、ガードプレート３２の図６における時計方向への回動規制がなされる。
【００２２】
支軸４１にはカム５０が回動自在に軸支されている。カム５０はプーリ１６にに対して接近・離間自在に軸支されており、吊り下げロープ１１２に対し登降装置１が下降方向へ移動しようとするとき（吊り下げロープ１１２とともにプーリ１６が図３の時計方向へ移動しようとするとき）、平面視略円弧状で断面が窪んだロープ接触部５１が吊り下げロープ１１２に食い込む方向（図３の反時計方向）に回動して移動を阻止し、吊り下げロープ１１２に対し登降装置１が登高方向へ移動しようとするとき（吊り下げロープ１１２とともにプーリ１６が図３の反時計方向へ移動しようとするとき）、ロープ接触部５１がプーリ１６から離間する方向（図３の時計方向）に回動して、吊り下げロープ１１２とともにプーリ１６が図３の反時計方向へ移動するのを許容するように構成されている。
ロープ接触部５１の窪んだロープ接触面５１Ａには吊り下げロープ１１２がプーリ１６とともに時計方向へ移動しようとする際にロープ表面に刺さって移動を阻止する多数の歯５２が突設されている（図５参照）。カム５０の支軸４１寄りの内周部には部分円環状の溝５０Ａが刻設されており、この溝５０Ａにカム５０を常時、図３の反時計方向でプーリ１６に接近する方向へ付勢する付勢手段としての引っ張りコイルバネ５０Ｂが内蔵されている。引っ張りコイルバネ５０Ｂは図３の左端が支軸４１に固定されており、右端がカム５０に固定されている。固定プレート１０の背面部１１には引っ張りコイルバネ５０Ｂに付勢されたカム５０の復帰方向移動を制限するストッパピン５３が植設されており、ロープ接触部５１の先端部がプーリ１６の内径に接する位置以上には図３の反時計方向へ回動しないようになっている。
【００２３】
カム５０の内、ロープ接触部５１の先端寄りの後側には、ロープ接触部５１をプーリ１６や吊り下げロープ１１２から離間させる操作を行なうための操作部材５４がロープ接触部５１から略垂直な後方へ直線的に延設されたレール状のスライド案内部５５にスライド自在に装備されている（図７（１）参照）。操作部材５４は下部に断面コ字状の凹部５４Ａが形成されており、凹部５４Ａがスライド案内部５５に跨るようにしてスライド自在に装備されている。スライド案内部５５には長孔５６が形成されており、操作部材５４は前端部に植設されたピン５７が長孔５６に嵌合した状態でスライド案内部５５に沿って前後に直線的にスライド可能になっている（図７（２）参照）。
スライド案内部５５の長孔５６にはピン５７と長孔５６の後端の間に圧縮コイルバネ５８（図３参照）が介装されており、操作部材５４を常時、ロープ接触部５１の先端部寄りに付勢している。操作部材５４は先端側に設けられた指掛け部５９に親指を掛け、支軸４１を中心とする図３の時計方向へ押圧することでカム５０をプーリ１６から離間する方向に回動させたり、指掛け部５９をスライド案内部５５に沿ってロープ接触部５１の先端部から見て垂直な後方へ押圧することで、カム５０に対し操作部材５４を後方（図３の斜め下方、図７（２）の矢印Ａ参照）へスライドさせたりできる。
【００２４】
ピン５７の図３における背面側の端部は固定プレート１０の背面外側へ突出されている（図５参照）。固定プレート１０の背面部１１には図４に示す如く、支軸４１を中心に略円弧状に延設されてピン５７を遊挿可能な案内孔６０が刻設されている。案内孔６０にはスライド案内部５５の先端寄り（ロープ接触部５１の先端部寄り）に在る操作部材５４を支軸４１を中心とした図３の時計方向（図４の反時計方向）へ押圧し、カム５０をプーリ１６から離間する方向に回動させたとき、途中からピン５７に当接して操作部材５４をスライド案内部５５に沿ってロープ接触部５１の先端部から見て垂直な後方へスライドさせる直線案内部６１と（図４、図８、図９参照）、この直線案内部６１の後端から略９０度外向き（支軸４１の半径方向外側向き）に切除されてピン５７を係止可能なピン係止部６２が設けられている（図１０参照）。従って、スライド案内部５５の先端寄りに在る操作部材５４を支軸４１を中心とした時計方向へ押圧すると、最終的にピン５７がピン係止部６２に係止させることができ、ロープ接触部５１とプーリ１６の間に大きな隙間があいて吊り下げロープ１１２をプーリ１６に着脱可能となる（図１０参照）。
係止状態から、操作部材５４をスライド案内部５５に沿ってロープ接触部５１の先端部から見て垂直な後方へ押圧することで係止状態を解除することができ（図１１参照）、操作部材５４をスライド案内部５５の前端側に戻し、指を放すことで引っ張りコイルバネ５０Ｂによりカム５０を図３の反時計方向へ復帰させることができる（図１２参照）。スライド案内部５５、長孔５６、ピン５７、圧縮コイルバネ５８、案内孔６０、直線案内部６１、ピン係止部６２により、カム５０をプーリ１６からの離間位置にロックしたり、ロック解除したりするロック手段が構成されている。
【００２５】
図６の如く登降装置１の前面を閉塞したガードプレート４２を時計方向へ回動すると開放部３０が空き、操作部材５４が露出して作業者が操作可能となる。またプーリ１６が露出し、吊り下げロープ１１２を登降装置１の前面側からプーリ１６に巻き掛けるとともに、吊り下げロープ１１２の内、プーリ１６の両側から延びた部分をロープ入口通路３５、ロープ出口通路３６に挿入することで、吊り下げロープ２の装填ができる。
【００２６】
図８乃至図１５を参照して登降装置１への吊り下げロープ１１２の取り付け方法を説明する。予め、図６に示す如くガードプレート４２が固定プレート１０の開放部３０を閉塞した状態にあり、またプッシュボタン４３はガードプレート４２の係合穴部４４の端縁４７と膨出部４５の端縁４８に係合可能な高さに突出しているものとする。また、カム５０が引っ張りコイルバネ５０Ｂに付勢されてプーリ１６に接近した位置に復帰しており、操作部材５４も圧縮コイルバネ５８に付勢されてロープ接触部５１の先端寄りに復帰した状態にあるものとする。
【００２７】
登降装置１に吊り下げロープ１１２を取り付ける際、プッシュボタン４３を押圧して押し込み、ガードプレート４２を図６の時計方向に回動して膨出部４５の背面側をプッシュボタン４３を通過させ、開放部３０を前方に露出させる（図３、図４参照）。プッシュボタン４３は図示しないコイルバネに付勢されて元の突出状態に復帰する。続いて、操作部材５４の指掛け部５９に親指を掛け図３の時計方向に押圧して回動させ、ピン５７が案内孔６０の直線案内部６１に当接したところで（図８参照。なお、図８乃至図１１は背面図である）、操作部材５４を図８の反時計方向及びスライド案内部５５の後方へ押圧し（図８の矢印Ｂ、図９の矢印Ｃ参照）、ピン５７がピン係止部６２を過ぎたところで（図１０の矢印Ｄ、Ｅ参照）、図１０の反時計方向への押圧は続けながらスライド案内部５５の前方へ移動させ、ピン係止部６２にピン５７が当接したところで親指を離す。操作部材５４は圧縮コイルバネ５８によりスライド案内部５５の前方へ付勢されるので、ピン５７はピン係止部６２に係止状態となり、カム５０のロープ接触部５１がプーリ１６から離間する（図１１の矢印Ｆ参照）。
【００２８】
次に、登降装置１の開放部３０の前側から吊り下げロープ１１２をプーリ１６に巻き掛け、支点に近い吊り下げロープ１１２の上側１１２ａをガイド板３１とガイドローラ３３の間のロープ入口通路３５に挿入し、支点から遠い吊り下げロープ１１２の下側１１２ｂをガイド板３２とガイドローラ３４の間のロープ出口通路３６に挿入する。しかるのち、操作部材５４の指掛け部５９に親指を掛け、スライド案内部５５の後方へ押圧しピン５７をピン係止部６２から外し、更に、操作部材５４を図１１の時計方向へ回動させながら親指を離す。カム５０は引っ張りコイルバネ５０Ｂに付勢されて図１１の時計方向に復帰し、ロープ接触部５１が吊り下げロープ１１２に接触する。操作部材５４は圧縮コイルバネ５８に付勢されてスライド案内部５５の先端寄りに復帰する（図１２参照。なお、図１２乃至図１５は登降装置１を正面側から見た図である）。
【００２９】
次に、ガードプレート４２を図１２の反時計方向に回動して膨出部４５の一端側から背面側にプッシュボタン４３を通過させていき（図１２の矢印Ｇ、図１３の矢印Ｈ参照）、途中でプッシュボタン４３を僅かに押し込ませながら他端側の端縁４８から係合孔部４４に露出させる。プッシュボタン４３は元の復帰状態に戻り、ガードプレート４２を開放部３０を閉塞する位置に固定する（図１４参照）。吊り下げロープ１１２の下側１１２ｂは登降装置１の下方へ垂らす。
【００３０】
登降装置５も登降装置１と全く同様に構成されており、吊り下げロープ１１３に対し登降装置１で説明したのと同様の方法で取り付けることができる。
登降装置１の支軸４１のカラビナ掛着用の穴４０にカラビナ２を着脱自在に掛装し、カラビナ２にワイヤロープ３と４の一端側のフック（図示せず）を懸吊し、ワイヤロープ３と４の他端側のフック（図示せず）を吊り下げ式養生装置１２０の装置本体１２１の左上端部に固着したロープ取り付け板１４５、１４６に掛着する（図２参照）。同様に登降装置５の支軸４１のカラビナ掛着用の穴４０にカラビナ６を着脱自在に掛装し、カラビナ６にワイヤロープ３と４の一端側のフック（図示せず）を懸吊し、ワイヤロープ７と８の他端側のフック（図示せず）を吊り下げ式養生装置１２０の装置本体１２１の右上端部に固着したロープ取り付け板１４７、１４８に掛着することにより（図２参照）、一組の登降装置１、５を用いて吊り下げ式養生装置１２０の昇降が可能となる。
なお、カラビナ２、６は上下に長いタイプとし、操作部材５４の操作等のためにガードプレート４２を開ける場合に、カラビナ２、６の内側の隙間を通しながらガードプレート４２を大きく回転させて、操作部材５４の指掛け部５９に指掛け可能とする。
【００３１】
登降装置１、５にロープ３と４、７と８を介して吊り下げ式養生装置１２０の荷重が掛かっているとき（地面から浮いた状態）、吊り下げロープ１１２の上側１１２ａと１１３の上側１１３ａに張力が掛かって、プーリ１６に図１４の時計方向の回転力が生じるが、この際、カム５０にプーリ１６に接近する方向の回転力が生じ、ロープ接触部５１がロープ２に食い込んで挟圧するとともに歯５２がロープ表面に刺さってプーリ１６の回転が拘束される。このため、吊り下げロープ１１２、１１３に対し登降装置１、５が下降することはない。
【００３２】
吊り下げ式養生装置１２０を上昇させたい場合、左側の作業者Ａが自身の携帯した電動ドライバ１５０の出力軸としてのチャック１５１に登降装置１の入力軸１７を嵌合して締結し（図５参照）、電動ドライバ１５０を図１５の時計方向に回転させる。すると、電動ドライバ１５０の回転力が伝達機構２０により減速されてプーリ１６が図１５の反時計方向に回転し、吊り下げロープ１１２をプーリ１６の周方向に沿って反時計方向へ移動させる。このとき、カム５０はプーリ１６から離間する方向の力を受けるので、プーリ１６は回転を拘束されず、吊り下げロープ１１２を継続的に反時計方向（登降装置１の登高方向）へ移動させる。
【００３３】
作業者Ａと平行して、右側の作業者Ｂが自身が携帯した電動ドライバ１５０の出力軸としてのチャック１５１に登降装置５の入力軸１７を嵌合して締結し（図５参照）、電動ドライバ１５０を図１５の時計方向に回転させることで、吊り下げロープ１１３を継続的に反時計方向（登降装置５の登高方向）へ移動させることができる。
これにより、作業者Ａ、Ｂは吊り下げ式養生装置１２０をほぼ水平に保ちながら吊り下げロープ１１２、１１３に沿って上昇させることができる。所望の高さ位置で電動ドライバ１５０を停止させれば、上昇を止めることができる。このとき吊り下げ式養生装置１２０の荷重で吊り下げロープ１１２の上側１１２ａと１１３の上側１１３ａに張力が掛かってプーリ１６に時計方向の回転力が生じるが、カム５０のロープ接触部５１がロープ２を挟圧してプーリ１６の回転が拘束される。このため、吊り下げロープ１１２、１１３に対し登降装置１、５が下降することはない。
なお、作業者ＡとＢが交互に電動ドライバ１５０により登降装置１と５を登高させても良い。
【００３４】
これと反対に、吊り下げ式養生装置１２０を下降させたい場合、左の作業者Ａが登降装置１のプッシュボタン４３を押してガードプレート４２を大きく開け、操作部材５４の指掛け部５９に親指を掛けて図３の時計方向に回動したり、プーリ１６と離間する方向に引いたりすることでカム５０による吊り下げロープ１１２の挟圧を緩め、吊り下げ式養生装置１２０の自重によりプーリ１６を図３の時計方向へ回転させながら登降装置１を吊り下げロープ１１２に対して降下させる。
【００３５】
平行して作業者Ｂが登降装置５のプッシュボタン４３を押してガードプレート４２を大きく開け、操作部材５４の指掛け部５９に親指を掛け図３の時計方向に回動したり、プーリ１６と離間する方向に引いたりすることでカム５０による吊り下げロープ１１３の挟圧を緩め、吊り下げ式養生装置１２０の自重によりプーリ１６を図３の時計方向へ回転させながら登降装置５を吊り下げロープ１１３に対して降下させる。
これにより、作業者Ａ、Ｂは吊り下げ式養生装置１２０をほぼ水平に保ちながら吊り下げロープ１１２、１１３に沿って下降させることができる。所望の高さ位置で操作部材５４を解放し、カム５０により吊り下げロープ１１２、１１３を挟圧させれば、下降を止めることができる。
なお、作業者ＡとＢが交互に登降装置１と５を下降させても良い。
【００３６】
次に、図１を参照して建物１の外面に対する作業方法を説明する。
予め、建物１００の屋上のパラペット１０３に、吊り下げ式養生装置１２０の横幅と同じ間隔で２つの支持具１１０、１１１が装着されており、各先端部に懸吊された吊り下げロープ１１２、１１３が地上まで垂れ下がっており、また、屋上に支点確保された作業者Ａ用のメイン側とバックアップ側の安全ロープ１０１と１０２、作業者Ｂ用のメイン側とバックアップ側の安全ロープ１０４と１０５がパラペット１０３を乗り越えて地上近くまで垂れ下がっているものとする。
【００３７】
地上において、作業者Ａ、Ｂ等は、図１の如く組み立てた吊り下げ式養生装置１２０を支持具１１０、１１１の直下に設置し、吊り下げロープ１１２に登降装置１を取り付け、この登降装置１の穴４０に掛装したカラビナ２に一端側を懸吊したロープ３、４の他端側をロープ取り付け板１４５、１４６に掛着する。また、吊り下げロープ１１３に登降装置５を取り付け、この登降装置５の穴４０に掛装したカラビナ６に一端側を懸吊したロープ６、７の他端側をロープ取り付け板１４７、１４８に掛着する。この際、吊り下げ式養生装置１２０は地上から数十ｃｍ乃至１ｍ程度浮かし、荷重が登降装置１、５に掛かるようにする。吊り下げロープ１１２、１１３の下側１１２ａ、１１３ａは装置本体１２１の中に垂れるようにする。
【００３８】
次に、建物１００の屋上において、作業者Ａが自身に装着した安全帯のメイン側のランヤードを安全ロープ１０１に取着した昇降器具（図示せず）に掛着し、バックアップ側のランヤードを安全ロープ１０２に取着した墜落防止器具（図示せず）に掛着し、パラペット１０３を越えて建物１００の外面に沿って安全ロープ１０１に吊り下がりながら吊り下げ式養生装置１２０の中またはすぐ上まで降下する。作業者Ａと平行して、作業者Ｂも自身に装着した安全帯のメイン側のランヤードを安全ロープ１０４に取着した昇降器具（図示せず）に掛着し、バックアップ側のランヤードを安全ロープ１０５に取着した墜落防止器具（図示せず）に掛着し、パラペット１０３を越えて建物１００の外面に沿って安全ロープ１０１に吊り下がりながら吊り下げ式養生装置１２０の中またはすぐ上まで降下する。
【００３９】
作業者Ａ、Ｂは吊り下げ式養生装置１２０に体重が全く掛からないか殆ど掛からないようにし、安全ロープ１０１と１０２、１０４、１０５の下側が装置本体１２１の中に垂れるようにし、両手が落下防止板１２５の上で囲い養生部１２２の建物側開口に来る位置で建物１００の外面に対する点検・補修等の作業を行う。作業で生じた補修部材や壁等の破片等は囲い養生部１２２や落下防止板１２５に当たって装置本体１２１に落下したり、直接、装置本体１２１の中に落下したりして、吊り下げ式養生装置１２０の外部への落下、飛散が防止される。また、誤って作業道具を落とした場合も、装置本体１２１の床１５２に載るので、地上への落下が防止される。
【００４０】
建物１００に対し、今回作業時の１つ上の作業範囲へ移動したい場合、作業者Ａ、Ｂは安全ロープ１０１と１０２、１０４と１０５に取り付けた昇降器具と墜落防止器具の位置を上方へ少し移動し登高するとともに、登降装置１、５を各々が携帯する電動ドライバ１５０により登高方向へ少し駆動し、吊り下げ式養生装置１２０を吊り下げロープ１１２、１１３に沿って少し上昇させ、１つ上の作業範囲に移動させる（両手が落下防止板１２５の上で囲い養生部１２２の建物側開口の高さ位置に来るようにする）。移動の前後や移動中、作業員Ａ、Ｂは吊り下げ式養生装置１２０に体重が全く掛からないか殆ど掛からないようにする。上昇高さが足りないときは、作業者Ａ、Ｂの登高と吊り下げ式養生装置１２０の上昇を何度か繰り返す。そして、建物１００の外面の内、前回作業時の少し上側に対して補修等の作業を行う。
以下、同様にして、吊り下げ式養生装置１２０に囲まれた中での建物１００の外面に対する補修等の作業と、作業者Ａ、Ｂの登高及び吊り下げ式養生装置１２０の上昇とを繰り返しながら、建物１００の外面に対する補修等の作業を地上側から屋上まで行っていく。
【００４１】
若し、途中で建物１００の少し下方へ作業位置を変更したい場合、作業者Ａ、Ｂは安全ロープ１０１と１０２、１０４と１０５に取り付けた昇降器具と墜落防止器具の位置を下方へ少し移動することで所望の高さ位置へ下降する。また、登降装置１、５のガードプレート４２を大きく開け、操作部材５４の指掛け部５９に親指を掛け図３の時計方向に回動したり、プーリ１６と離間する方向に引いたりすることでカム５０による吊り下げロープ１１２、１１３の挟圧を緩め、吊り下げ式養生装置１２０の自重によりプーリ１６を図３の時計方向へ回転させながら登降装置５を吊り下げロープ１１２、１１３に対して降下させる。所望の高さ位置に降下したところで、操作部材５４の操作を止めてカム５０により吊り下げロープ１１２、１１３を挟圧させて降下を停止させ、ガードプレート４２を閉じる（両手が落下防止板１２５の上で囲い養生部１２２の建物側開口の高さ位置に来るようにする）。この際も、作業者Ａ、Ｂは吊り下げ式養生装置１２０に体重が全く掛からないか殆ど掛からないようにする。下降高さが足りないときは、作業者Ａ、Ｂの降下と吊り下げ式養生装置１２０の降下を何度か繰り返す。そして、建物１００の外面の内、前回作業時の少し下側に対して補修等の作業を行う。
【００４２】
なお最初に、吊り下げ式養生装置１２０を屋上近くまで上昇させておけば、吊り下げ式養生装置１２０に囲まれた中または吊り下げ式養生装置１２０の上方での建物１００の外面に対する補修等の作業と、作業者Ａ、Ｂの降下及び吊り下げ式養生装置１２０の降下とを繰り返しながら、建物１００の外面に対する補修等の作業を屋上側から行うこともできる。
【００４３】
この実施例によれば、作業者Ａ、Ｂが建物１００の屋上から垂れ下がった安全ロープ１０１と１０２、１０４と１０５に支持されて建物１００の外面に対する補修等の作業を行うのに際して、吊り下げ式養生装置１２０に囲まれた中で作業を行うことができる。作業で生じた補修部材や壁等の破片等は囲い養生部１２２や落下防止板１２５に当たって装置本体１２１に落下したり、直接、装置本体１２１の中に落下したりして、吊り下げ式養生装置１２０の外部への落下、飛散が防止される。また、誤って作業道具を落とした場合も、装置本体１２１の床１５２（図１参照）に載るので、地上への落下が防止される。
また、吊り下げ式養生装置１２０には作業者Ａ、Ｂの体重が掛からない為、吊り下げ式養生装置１２０や支持具１１０、１１１を頑強にする必要がなく登降装置１、５などを含めた設備負担が少なくて済む。
また、登降装置１、５は作業者Ａ、Ｂが携帯する電動ドライバ１５０により登高動作をさせることができ、作業者Ａ、Ｂが手動で吊り上げ式養生装置１２０を登高させなくて済み、作業負担が少ない。電動ドライバ１５０は各種作業用に携帯する通常工具であり、特別な駆動源を用意したり携帯したりする負担もない。電動ドライバ１５０は充電式なので、電源コードを引き回す煩わしさもない。また、建物１００の屋上や支持具１１０、１１１へのロープ昇降装置の設置が不要となる。
【００４４】
なお、上記した実施例では建物の外面に対する作業を作業者Ａ、Ｂの二人で行う場合につき説明したが、一人の作業者が左右２つの登降装置を操作することで、一人で作業することもできる。
また、囲い養生部は、養生シートに代えて養生ネットを枠体に張設して形成しても良く、或いは、囲い養生部自体を省略しても良い。
また、上記した実施例では登降装置を駆動する電動工具として電動ドライバを例に挙げたが、本発明は何らこれに限定されず、電動ドリルなど、他の回転式電動工具であっても良い。また、充電式でない電動工具を用いても良い。また、操作部材はスライド案内部に沿ってスライド自在としたが、カムに固定した構成としても良い。また、入力軸に六角ビットを着脱自在に結合可能な六角ビット穴を形成しておき、六角ビット付の回転式電動工具を用いて六角ビットを回転式電動工具の出力軸として入力軸に結合して回転させるようにしても良い。
【００４５】
また、上記した実施例では入力軸に加えられた回転力を大小２つの歯車で構成された歯車伝達機構によりプーリに伝達させるようにしたが、差動減速機構により伝達するようにしても良い。差動減速機構を備え、図１中の登降装置に代えて使用可能なロープ牽引装置の例を図１６乃至図２７に示す。
図１６乃至図２０はロープ牽引装置の外観斜視図、正面図、側面図、平面図、背面図、図２１はロープ牽引装置のプーリカバーとヒンジ部を省略した斜視図、図２２はロープ牽引装置のプーリカバーを省略した側面図、図２３はロープ牽引装置のプーリカバーとプーリを省略した斜視図、図２４（１）はプーリカバーをロックするロック部材の斜視図、（２）は正面図、（３）は平面図、（４）は側面図、図２５はロープ牽引装置中の制限手段の構成図、図２６は制限手段の一部省略した拡大図、図２７は制限手段の作用説明図である。
【００４６】
これらの図において、５０１は登降装置としての動力式のロープ牽引装置であり、作業者が携帯する充電式電動ドライバにより駆動力を得て吊り下げロープ（図３０の符号１１２、１１３参照）を牽引可能になっている。ロープ牽引装置５０１の内、５０2 はアルミ製でプレート形の支持体であり、中央近くに円形の開口５０３、下側にロープ取り付け部としてのロープ取り付け孔５０４が形成されている。５０５は支持体５０２の背面側に装着された円柱形（パンケーキ形）の減速装置であり、入力軸と出力軸が同軸の差動減速機構を備えた円柱形（パンケーキ形）の減速装置本体５０６、減速装置本体５０６を入力軸５０７と出力軸５０８を除いて密閉するアルミ製の密閉ケース５０９、密閉ケース５０９の背面側に装備されて入力軸５０７の逆転を制限することにより、ロープの入口側の引き戻しを制限する制限手段５１０、密閉ケース５０９の背面の周端部に装着されて制限手段５１０の主要部を密閉するアルミ製で皿形の外蓋５１１を含む。なお制限手段５１０については後述する。外蓋５１１の中央に形成された開口５１２に入力軸５０７が露出している。
【００４７】
入力軸５０７は円柱状の軸孔５１３にキー溝５１４が設けられており、図２８に示す如く、充電式電動ドライバ５１５の出力軸としてのチャック５１６に、キー溝５１７付きの円柱状のシャンク５１８を取り付け、キー５１９をキー溝５１４、５１７に嵌合しながら軸孔５１３にシャンク５１８を差し込んで連結し、充電式電動ドライバ５１５を駆動することで、入力軸５０７を回転可能となっている。出力軸５０８は支持体５０２の開口５０３から支持体５０２の正面側に突出しており（図２３参照）、端部に後述するプーリが結合されている。
【００４８】
減速装置本体５０６は、サイクロイド減速機構またはトロコイド減速機構による減速比の大きい差動減速機構を内蔵し、入力軸５０７の回転を減速して出力軸５０８に伝達する。ここでは一例として減速装置本体５０６は、入力軸５０７と出力軸５０８が反対方向に回転するタイプとし、ロープ牽引装置５０１の正面側から見て、入力軸５０７が時計方向に回転し、出力軸５０８が反時計方向に回転する方向を正転方向とする。減速装置本体５０６には、例えば入出力軸が同軸な転動ボール式減速機、ローラサイクロイド式減速機などを用いることができる。
【００４９】
５２０は支持体５０２の正面側に装備されたアルミ製のプーリであり、減速装置５０５の出力軸５０８に結合されている。プーリ５２０は図２１、図２２に示す如く吊り下げロープ（ここでは繊維ロープ）が巻き掛けられるＨ字溝５２１の対向する内面５２２、５２３に、放射状に配列された多数の歯状突起５２４、５２４、・・と５２５、５２５・・が対向して設けられている。歯状突起５２４・・、５２５・・は断面が山形であり、内径寄りから外径寄りに掛けて高さが徐々に低くなっている（なお、内径寄りから外径寄りに掛けて高さを同一としても良い。更にＨ字溝をＶ字溝に代えても良い）。
【００５０】
５３０は支持体５０２の正面側の内、プーリ５２０の上側に装着されたアルミ製のロープガイドであり、この内、５３１はプーリ５２０の上方に間隔を開けて設けられて、プーリ５２０に一周弱巻き掛けられる吊り下げロープの入口と出口を形成するロープ出入口部であり、間隔を開けて左右に対向して対称に設けられた入口部５３２と出口部５３３を含む。入口部５３２、出口部５３３は支持体５０２から逆Ｌ字状に立ち上がるようにして設けられており、内側に半割円柱状の入口通路部５３４、出口通路部５３５が形成されている。入口部５３２、出口部５３３のプーリ５２０寄りは、一段細く形成されて後述するプーリカバーの上端部が嵌合可能な被嵌合部５３６、５３７を成す。これら被嵌合部５３６、５３７の内、入口通路部５３４、出口通路部５３５の前側（図２１の上側）でかつプーリ５２０寄りの端部に、後述するプーリカバーに装備されたロック部材の係合爪が着脱自在に係合する係合溝５３８、５３９が刻設されている。
【００５１】
５４０はロープガイド５３０の内、ロープ出入口部５３１とプーリ５２０の間に設けられた分離部であり、プーリ５２０に巻き掛けられる吊り下げロープの入口側と出口側を分離する。分離部５４０は側面視がＬ字状に形成されており、上半分の左右端面が傾斜面５４１、５４２となっており、下半分の嘴状部５４３がプーリ５２０のＨ字溝５２１の中に遊挿されている。吊り下げロープをロープ牽引装置５０１に装填する際、吊り下げロープの入口側を入口部５３２、出口部５３３の間の隙間５４４から入口通路部５３４に挿入し、分離部５４０の左側を通してプーリ５２０に一周弱巻き掛け、吊り下げロープの出口側を分離部５４０の右側を通し、入口部５３２、出口部５３３の間の隙間５４４から出口通路部５３５に挿入するようにする（図３０参照）。
【００５２】
５５０はプーリ５２０の前面及び側面を開閉自在に覆うプラスチック製で蓋型のプーリカバーであり、下端部が支持体５０２の正面側の内、プーリ５２０の図３０におけるすぐ下に前方へ突設して設けられたヒンジ部５５１に回動自在に軸支されている。プーリカバー５５０の上端部は図１７の上方へ延設された断面コ字状の嵌合部５５２となっており、ロープ出入口部５３１の被嵌合部５３６、５３７の外側に嵌脱自在に嵌合可能になっている。
【００５３】
５５３はプーリカバー５５０の嵌合部５５２の背面側に図１７の上下方向（図２４（１）の矢印ａ方向とｂ方向参照）へ一定範囲でスライド自在に備えられたプラスチック製のロック部材であり、プーリカバー５５０の背面側に設けられた図示しないバネ座とロック部材５５３との間に介装された左右一対の圧縮バネ５５４、５５５により常時、上方（係合溝５３８、５３９に向かうロック方向）に付勢されている。プーリカバー５５０の上端近くに長孔５５６が刻設されており、ロック部材５５３から前方へ突設された操作部５５７が長孔５５６に遊嵌されて先端部がプーリカバー５５０の外面より外側に突出している。ロック部材５５３の図２４（２）における上端部には断面が三角形の係止爪５５８が形成されている。ロック部材５５３を圧縮バネ５５４、５５５のバネ力に抗して図１７の下方向へ移動したときは係止爪５５８が被嵌合部５３６、５３７の下端より図１７の下方に退避し、プーリカバー５５０を図１８の矢印ｃ、ｄの回動方向へ開閉可能となる。ロック部材５５３を図１７の下方に押し下げながら、プーリカバー５５０を閉じて嵌合部５５２を被嵌合部５３６、５３７に嵌め、ロック部材５５３の押下を解放すると圧縮バネ５５４、５５５に付勢されて図１７の上方へ移動し、係止爪５５８が係合溝５３８、５３９に係合して閉状態にロックする。
【００５４】
制限手段５１０は、図２５、図２６に示す如く、減速装置本体５０６の入力軸５０７に結合されて、吊り下げロープが入口部５３２からプーリ５２０へ牽引される方向（図３１の矢印ｅ参照）への回転を許容し、反対方向（図３０の矢印ｆ参照）への回転を拘束して吊り下げロープが入口部５３２から外部に引き出されるのを制限するラチェット機構５６０と、ラチェット機構５６０による制限を解除する解除手段５６１とから成る。ラチェット機構５６０は、ケース５０９の背面側で入力軸５０７に嵌着された大径のラチェット歯車５６２、ケース５０９の背面に回動自在に軸支された回動軸５６３に嵌着されて先端部がラチェット歯車５６２に対し進退する方向に回動し、ラチェット歯車５６２の回転方向を一方向（入力軸５０７、出力軸５０８、プーリ５２０が正転する方向であり、図２５において、入力軸５０７が反時計方向へ回転する方向）のみ許容し、反対方向への回転を制限する歯止め５６４、歯止め５６４の先端部とケース５０９の背面に装着されたバネ座５６５の間に介装されて、歯止め５６４の先端部をラチェット歯車５６２の方向へ付勢する圧縮コイルバネ５６６を含む（なお、圧縮コイルバネは板バネに置き換えても良い）。
【００５５】
一方、解除手段５６１は、歯止め５６４の後端部に形成された被押圧部５６７、ケース５０９の背面の内、歯止め５６４の被押圧部５６７の近くに回動自在に軸支された回動軸５６８に嵌着されたプラスチック製で略しずく形の押圧部材５６９、外蓋５１１に穿設された挿通孔５７０を通して外側に延設された回動軸５６８の先端部に装着されて回転制限の解除操作を行うプラスチック製の操作つまみ５７１を含む（図２０参照）。押圧部材５６９には回動軸５６８の近くから嘴状に突設して形成されて押圧部材５６９の回動により被押圧部５６７に接近し、被押圧部５６７を押圧したり、離間して押圧を解除する押圧部５７２、押圧部材５６９の内、回動軸５６８から見て押圧部５７２の反対側に形成された弾性変形可能な部分円環部５７３、部分円環部５７３の外周の途中から半径方向外側へ山形に突設された係合突起５７４を有している。ケース５０９の背面には係合突起５７４が回動軸５６８を中心にして回動し、第１、第２の２つのポジションＰ１、Ｐ２に来た時に係合する２つの係合凹部５７５、５７６が形成されている。係合突起５７４が回動により係合凹部５７５、５７６の縁部５７７、５７８に当接すると部分円環部５７３が楕円状に弾性変形し、縁部５７７、５７８を通過して係合凹部５７５、５７６に係合すると元の形状に復元する。
【００５６】
ラチェット機構５６０による回転方向の制限を働かせたい場合、操作つまみ５７１を第１のポジションＰ１に回動すると押圧部５７２が被押圧部５６７から離れるとともに係合突起５７４が係合凹部５７５に係合し、操作つまみ５７１から手を離しても、操作つまみ５７１、押圧部材５６９は第１のポジションＰ１に固定される。歯止め５６４は圧縮コイルバネ５６６に付勢されて先端部がラチェット歯車５６２に噛合し、入力軸５０７の正転方向への回転のみ許容される（図２６参照）。
反対に、ラチェット機構５６０による回転方向の制限を解除したい場合、操作つまみ５７１を第２のポジションＰ２に回動すると押圧部５７２が被押圧部５６７を押圧するとともに係合突起５７４が係合凹部５７６に係合し、操作つまみ５７１から手を離しても、操作つまみ５７１、押圧部材５６９は第２のポジションＰ２に固定される。歯止め５６４は先端部がラチェット歯車５６２から退避し、入力軸５０７の回転制限が解除されて、正逆いずれにも回転が許容される（図２７の矢印ｇ、ｈ参照）。
【００５７】
５８０、５８１は支持体５０２の図１７における右上の表裏に設けられたアルミ製の掛け止め部であり、支持体５０２の表裏に垂直に植設されたロープ巻き掛け棒５８２、５８３と、ロープ巻き掛け棒５８２、５８３の先端に装着されてロープ巻き掛け棒５８２、５８３からロープが外れるのを阻止する菱形のストッパ５８４、５８５から成る。
図１６に示すロープ牽引装置５０１では支持体５０２、密閉ケース５０９、外蓋５１１、プーリ５２０、ロープガイド５３０、巻き掛け部５８０、５８１はアルミ製としたが、ステンレス鋼など他の金属製としても良い。
【００５８】
図２８の符号５１５はロープ牽引装置５０１を電動で回転駆動するための電動回転工具としての充電式電動ドライバであり、チャック５１６に、キー溝５１７付きの円柱状のシャンク５１８を取り付けて使用する。図２９の符号５９０はロープ牽引装置５０１を手動で回転駆動するための手動式回転工具であり、入力軸５０７の軸孔５１３に挿脱自在でキー溝５１４に嵌合する突起部５９１を備えた回転軸部５９２と、回転軸部５９２に装着されたＬ字状のハンドル部５９３から成る。
【００５９】
図１の左右２つの登降装置１、５を２つのロープ牽引装置５０１に置き換えることで、第１実施例と同様にして、充電式電動ドライバ５１５を用いて吊り下げ式養生装置１２０を上昇させたり、吊り下げ式養生装置１２０の自重を利用して降下させたりすることができる。
吊り下げロープ１１２に対する登降装置１の代わりのロープ牽引装置５０１の装填方法を説明すると、プーリカバー５５０が閉じ、操作つまみ５７１が第１のポジションＰ１に固定したロープ牽引装置５０１のロック部材５３を図１７の下方（図２４（１）矢印ｂ方向）へ押し下げ、係合爪５５８を係合溝５３８、５３９から離間してロックを外し、プーリカバー５５０を図１８の矢印ｃ方向へ開放する。
【００６０】
吊り下げロープ１１２の下端側をロープ牽引装置５０１の入口部５３２と出口部５３３の間の隙間５４４から入口通路部５３４に挿入し、分離部５４０の左側を通してプーリ５２０に一周弱巻き掛け、分離部５４０の右側を通して入口部５３２と出口部５３３の隙間５４４から出口通路部５３５に挿入したのち（図３０参照）、掛け止め部５８０、５８１に巻き掛けて掛け止める。そして、ロック部材５５３を図１７の下方（図２４（１）の矢印ｂ方向）に押し下げながらプーリカバー５５０を閉じ（図１８の矢印ｄ参照）、嵌合部５５２を被勘合部５３６、５３７に嵌合する。ロック部材５５３の押し下げを解放すると、圧縮バネ５５４、５５５によりロック部材５５３が図１７の上方（図２４（１）の矢印Ａ方向）に付勢されて、係合爪５５８が係合溝５３８、５３９内に係合してロックする。これにより、吊り下げロープ１１２の装填が完了する。
【００６１】
ロープ牽引装置５０１のロープ取り付け孔５０４に着脱自在に掛着したカラビナ（図１７の符号５９５参照）に懸吊した２本のロープ（繊維ロープまたはワイヤロープ）３、４を吊り下げ式養生装置１２０の左側のロープ取り付け板１４５、１４６のロープ取り付け孔１４９に取り付ける。右側の吊り下げロープ１１３の下端側にも同様にして登降装置５の代わりのロープ牽引装置５０１を装填するとともに、ロープ取り付け孔５０４と吊り下げ式養生装置１２０の右側のロープ取り付け板１４７、１４８のロープ取り付け孔１４９の間に２本のロープ（繊維ロープまたはワイヤロープ）７、８を取り付ける。吊り下げロープ１１２、１１３の出口側ロープ１１２ｂ、１１３ｂは吊り下げ式養生装置１２０の装置本体１２１の中に垂れるようにする。
吊り下げ式養生装置１２０を地上から数十ｃｍ乃至１ｍ程度浮かして荷重が左右のロープ牽引装置５０１に掛かるようにすると、吊り下げロープ１１２、１１３の入口側ロープ１１２ａ、１１３ａに入口部５３２から上方外側へ引っ張る方向の力が掛かり、プーリ５２０が逆転方向に回転しようとするが、ラチェット機構５６０の歯止め５６４の先端部がラチェット歯車５６２に係合して入力軸５０７の回転を制限するので、プーリ５２０は回転せず、吊り下げロープ１１２、１１３の入口側ロープ１１２ａ、１１３ａが外部に引き出され、ロープ牽引装置５０１、吊り下げ式養生装置１２０が降下するのが阻止される。
【００６２】
建物外面に対する作業開始したい場合、建物１００の屋上において、作業者Ａが自身に装着した安全帯のメイン側のランヤードを安全ロープ１０１に取着した昇降器具（図示せず）に掛着し、バックアップ側のランヤードを安全ロープ１０２に取着した墜落防止器具（図示せず）に掛着し、パラペット１０３を越えて建物１００の外面に沿って安全ロープ１０１に吊り下がりながら吊り下げ式養生装置１２０の中またはすぐ上まで降下する。作業者Ａと平行して、作業者Ｂも自身に装着した安全帯のメイン側のランヤードを安全ロープ１０４に取着した昇降器具（図示せず）に掛着し、バックアップ側のランヤードを安全ロープ１０５に取着した墜落防止器具（図示せず）に掛着し、パラペット１０３を越えて建物１００の外面に沿って安全ロープ１０１に吊り下がりながら吊り下げ式養生装置１２０の中またはすぐ上まで降下する。
【００６３】
作業者Ａ、Ｂは吊り下げ式養生装置１２０に体重が全く掛からないか殆ど掛からないようにし、安全ロープ１０１と１０２、１０４、１０５の下側が装置本体１２１の中に垂れるようにし、両手が落下防止板１２５の上で囲い養生部１２２の建物側開口に来る位置で建物１００の外面に対する点検・補修等の作業を行う。
建物１００に対し、今回作業時の１つ上の作業範囲へ移動する場合、作業者Ａ、Ｂは安全ロープ１０１と１０２、１０４と１０５に取り付けた昇降器具と墜落防止器具の位置を上方へ少し移動し登高する。そして、作業者Ａ、Ｂは各々が携帯する充電式電動ドライバ５１５により左右のロープ牽引装置５０１の入力軸５０７を正転駆動し、吊り下げ式養生装置１２０を吊り下げロープ１１２、１１３に沿って少し上昇させ、１つ上の作業範囲に移動させる（両手が落下防止板１２５の上で囲い養生部１２２の建物側開口の高さ位置に来るようにする）。
【００６４】
具体的には作業者Ａ（Ｂ）はロープ牽引装置５０１に装填された吊り下げロープ１１２（１１３）の出口側ロープ１１２ｂ（１１３ｂ）を掛け止め部５８０、５８１から外し、操作つまみ５７１は第１のポジションＰ１に固定されたままとする。図２８（１）に示す如く、充電式電動ドライバ５１５のチャック５１６に、キー溝５１７付きの円柱状のシャンク５１８を取り付け、キー５１９をロープ牽引装置５０１の入力軸５０７のキー溝５１４、５１７に嵌合しながら軸孔５１３にシャンク５１８を差し込んで連結し、充電式電動ドライバ５１５を正転方向に駆動する。
ロープ牽引装置５０１ではラチェット機構５６０が入力軸５０７の正転を許容しているので、入力軸５０７が正転し、減速装置本体５０６で減速されて出力軸５０８に伝達され、出力軸５０８に結合されたプーリ５２０が図３０の反時計方向へ回転する。これにより、吊り下げロープ１１２（１１３）の入口側が入口通路部５３４と分離部５４０の左側を通ってプーリ５２０の左上部に引き込まれ、一周弱回ってプーリ５２０の右上部から分離部５４０の右側と出口通路部５３５を通って外部に出る。この結果、吊り下げ式養生装置１２０は地上近くから上昇していく。
【００６５】
所望高さに達したところで、充電式電動ドライバ５１５によるロープ牽引装置５０１の駆動を停止する。すると、吊り下げロープ１１２（１１３）の入口側ロープ１１２ａ（１１３ａ）が吊り下げ式養生装置１２０の荷重でロープ牽引装置５０１から見て上方へ引っ張られるが、ラチェット機構５６０が入力軸５０７の逆転を制限してプーリ５２０の逆転を拘束しているので、吊り下げロープ１１２（１１３）がロープ牽引装置５０１の入口側から外側方向へ引き出されるのが阻止される。従って、吊り下げ式養生装置１２０は所望高さで停止した状態となる。
【００６６】
なお、移動の前後や移動中、作業員Ａ、Ｂは吊り下げ式養生装置１２０に体重が全く掛からないか殆ど掛からないようにする。上昇高さが足りないときは、作業者Ａ、Ｂの登高と吊り下げ式養生装置１２０の上昇を何度か繰り返す。そして、建物１００の外面の内、前回作業時の少し上側に対して補修等の作業を行う。
以下、同様にして、吊り下げ式養生装置１２０に囲まれた中での建物１００の外面に対する補修等の作業と、作業者Ａ、Ｂの登高及び吊り下げ式養生装置１２０の上昇とを繰り返しながら、建物１００の外面に対する補修等の作業を地上側から屋上まで行っていく。
【００６７】
若し、途中で建物１００の少し下方へ作業位置を変更したい場合、作業者Ａ、Ｂは安全ロープ１０１と１０２、１０４と１０５に取り付けた昇降器具と墜落防止器具の位置を下方へ少し移動することで所望の高さ位置へ下降する。そして、作業者Ａ、Ｂは各々、左右のロープ牽引装置５０１のラチェット機構６０の制限を解除し、プーリ５２０を逆転させながら吊り下げ式養生装置１２０の自重で吊り下げロープ１１２、１１３に沿って少し下降させる。
具体的には、まず吊り下げロープ１１２（１１３）の出口側ロープ１１２ｂ（１１３ｂ）を掛け止め部５８０、５８１に巻き掛けてプーリ側に引き戻されないように固定する。次に、ロープ牽引装置５０１のラチェット機構５６０による回転制限を解除するため、操作つまみ５７１を第２のポジションＰ２へ回して係合突起５７４を係合凹部５７６に係合させて固定させるのであるが、ロープ牽引装置５０１、吊り下げ式養生装置５０１の荷重によりロープ牽引装置５０１から見て上方へ強く引っ張られた入口側ロープ１１２ａ（１１３ａ）がプーリ５２０を時計方向へ付勢しているため、ラチェット歯車５６２が歯止め５６４の先端部を強く押圧し、歯止め５６４が回動し難くなっている。
【００６８】
そこで、図２９（１）に示す如く、手動式回転工具５９０の突起５９１を入力軸５０７のキー溝５１４に嵌合しながら軸孔５１３に回転軸部５９２を挿入する。そして、ハンドル部５９３を図２９（１）の反時計方向（正転方向）に回して歯止め５６４に対するラチェット歯車５６２の押圧を緩めながら、操作つまみ５７１を第２のポジションＰ２へ回して係合突起５７４を係合凹部５７６に係合させて固定させる。これにより、歯止め５６４がラチェット歯車５６２から離間し、入力軸５０７の回転制限が解除される。
【００６９】
この状態で、出口側ロープ１１２ｂ（１１３ｂ）を手で掴み、ロープ牽引装置５０１の掛け止め部５８０、５８１から外したあと、出口側ロープ１１２ｂ（１１３ｂ）の把持力を弱めると、入口側ロープ１１２ａ（１１３ａ）の引っ張り力でプーリ５２０が図３０の時計方向へ回転し、出口側ロープ１１２ｂ（１１３ｂ）が入口側へ引き戻されていく。この際、減速装置本体５０６の差動減速機構が大きな負荷となるので、吊り下げロープ１１２（１１３）は入口部５３２から外部へゆっくり引き出されて、吊り下げ式養生装置１２０がゆっくり下がる。吊り下げロープ１１２（１１３）の出口側ロープ１１２ｂ（１１３ｂ）を掛け止め部５８０、５８１に押接すれば、摩擦ブレーキを掛けてよりゆっくり下降させることもできる。
所望高さまで下がったところで、出口側ロープ１１２ｂ（１１３ｂ）を掛け止め部５８０、５８１に掛け止め、操作つまみ５７１を第１のポジションＰ１に変える。下降高さが足りないときは、作業者Ａ、Ｂの降下と吊り下げ式養生装置１２０の降下を何度か繰り返せば良い。そして、建物１００の外面の内、前回作業時の少し下側に対して補修等の作業を行う。
なお最初に、吊り下げ式養生装置１２０を屋上近くまで上昇させておけば、建物１００の外面に対する補修等の作業と、作業者Ａ、Ｂの降下及び吊り下げ式養生装置１２０の降下とを繰り返しながら、建物１００の外面に対する補修等の作業を屋上側から行うこともできる。
【００７０】
図１６に示したロープ牽引装置５０１によれば、回転式電動工具を駆動源として吊り下げロープ１１２、１１３を牽引し、吊り下げ式養生装置１２０の昇降ができるのでロープ牽引装置５０１に駆動源を組み込む必要がなく、またプーリ５２０に巻き掛けて牽引するので巻き取りドラムが不要であり、全体として装置を小型にできる。また、回転式電動工具には電動ドライバ５１５など、作業用に携帯する通常の工具を用いることができ、特別な駆動源を用意する手間が掛からない。回転式電動工具を充電式とすれば電源コードを引き回す煩わしさもない。
また、小型で減速比の大きな差動減速式の減速装置本体５０６を用いたことにより、制限手段５１０を解除した状態でプーリ５２０を逆転させながら吊り下げロープ１１２、１１３を入口部５３２から外側に引き出させ、吊り下げ式養生装置１２０を下降させる際、緩行動作を行わせることができる。
また、ロープ出入口部５３１を間隔を開けて対向配置された入口部５３２及び出口部５３３から構成し、入口部５３２と出口部５３３の間の隙間５４４を通して外部と入口部５３２の間で吊り下げロープ１１２、１１３を出し入れしたり、外部と出口部５３３の間で吊り下げロープ１１２、１１３を出し入れ可能に形成したので、プーリ５２０への吊り下げロープ１１２、１１３の装填・取り外しが容易になる。
また、ロープ出入口部５３１をプーリ５２０から間隔を開けて設けるとともに、ロープ出入口部５３１とプーリ５２０の間に入口側ロープ１１２ａ、１１３ａと出口側ロープ１１２ｂ、１１３ｂを分離する分離部５４０を設けたので、プーリ５２０の正転時に出口側ロープ１１２ｂ、１１３ｂがプーリ５２０の入口側に巻き込まれたり、プーリ５２０の逆転時に入口側ロープ１１２ａ、１１３ａがプーリ５２０の出口側に巻き込まれるのを防止できる。
また、支持体５０２に、吊り下げロープ１１２、１１３を巻き掛けて止める掛け止め部５８０、５８１を備えたので、吊り下げロープ１１２、１１３の入口側に張力が掛かった状態で制限手段５１０による制限を解除し、入口側ロープ１１２ａ、１１３ａを入口部５３２から上方外側へ移動させて吊り下げ式養生装置１２０を下降させたい場合に、予め、出口側ロープ１１２ｂ、１１３ｂを掛け止め部５８０、５８１に巻き掛けて掛け止めておくことにより、制限手段５１０を解除した際に急に入口側ロープ１１２ａ、１１３ａが入口部５３２から上方外側へ引き出されないようにできる。また、掛け止め部５８０、５８１に摺接させながら移動させることで、摩擦ブレーキを効かせることもできる。
また、制限手段５１０による入口部５３２から上方外側へのロープ移動の制限を解除したい場合に、手動式回転工具５９０を用いて減速装置本体５０６の入力軸５０７を手動で正転させてプーリ５２０をゆっくり正転させながら操作つまみ５７１により解除操作をすることで、容易に解除することができる。
【００７１】
なお、図１６に示したロープ牽引装置では回転式電動工具として充電式電動ドライバを挙げたが、本発明は何らこれに限定されず、電動ドリルなど、他の回転式電動工具であっても良い。また、充電式でない電動工具を用いても良い。
また図１６に示したロープ牽引装置では、吊り下げロープの装填後、入口部と出口部の間には隙間が空いているが、図３１、図３２のロープ牽引装置５０１Ａに示す如く、プーリカバー５５０Ａの嵌合部を上方へ延設して、入口部５３２Ａと出口部５３３Ａの上端まで嵌合可能とし、プーリカバー５５０Ａの上方延長部の背面側に、入口部５３２Ａと出口部５３３Ａの間の隙間５４４Ａを塞ぎ、入口部５３２Ａの入口通路部５３４に挿入された入口側ロープが隙間５４４Ａへずれるのを邪魔したり、出口部５３３Ａの出口通路部５３５に挿入された出口側ロープが隙間５４４Ａへずれるのを邪魔する邪魔部５８６を突設しても良い。邪魔部５８６により、ロープ牽引装置５０１Ａの使用中に、吊り下げロープが入口部５３２Ａと出口部５３３Ａの隙間５４４Ａにずれ、プーリカバー５５０Ａの上端部背面に衝突して不用意に開放させてしまうのを防止できる。
また図１６のロープ牽引装置では、歯止めを圧縮コイルバネによりラチェット歯車の方向へ付勢するようにしたが、板バネ、トーションバネなどにより付勢するようにしても良い。また、装填された吊り下げロープが入口側から引き戻されるのを制限する制限手段を差動減速装置本体の入力軸側に設ける場合を例に挙げて説明したが、出力軸側に設けるようにしても良い。
【００７２】
更に、制限手段はラチェット機構に代えて、吊り下げロープが入口部から外側に引き出される方向へ移動しようとするとき吊り下げロープに食い込んで移動を制限し、反対方向へ移動しようとする際は、吊り下げロープから離間して移動を許容するように構成されたカムと、カムを吊り下げロープに食い込む方向へ付勢する付勢手段と、カムを吊り下げロープから離間させて制限を解除する解除手段を含む構成としても良い。
【００７３】
カム式の制限手段の具体例の一つを図３３に示す。図３４０のロープ牽引装置５０１Ｂでは支持体５０２Ｂの上部が上方へ延設されており、正面側にカム式の制限手段６００が装着されている。制限手段６００の内、６０１は支持体５０２Ｂの上端部の正面側に装着された支持プレートであり、左側部がＵ字状に折り曲げられて内側にロープ当接部としてのロープ挿通部６０２が形成された折り曲げ部６０３、右側部がＵ字状に折り曲げられて回動軸６０４が回転自在に装着された折り曲げ部６０５となっている。ロープ挿通部６０２はロープ牽引装置５０１Ｂに装填される吊り下げロープの入口側の経路に沿って配備されており、入口部５３２の入口通路部５３４に対し直線的に配置されている。回動軸６０４には外周部６０６に多数の歯６０７が突設されたカム６０８の基端部が嵌着されている。カム６０８は回動軸６０４を回動中心としてロープ挿通部６０２に挿通された吊り下げロープに対し接近する方向（図３３の矢印ｉ参照）と、離間する方向（図３３の矢印ｊ参照）に回動可能となっている。回動軸６０４とカム６０８の間には、カム６０８を常時、図３３の時計方向へ付勢するゼンマイバネ（図示せず）が介装されている。
【００７４】
カム６０８の真ん中近くに回動軸６０９が回転自在に装着されており、この回動軸６０９にＬ字状の解除操作部材６１０の基端部が嵌着されている。解除操作部材６１０の角部には支持体６０２Ｂの前方へ突出した円柱状の操作突起６１１が装着されており、操作突起６１１を指で操作することで回動軸６０９を中心として解除操作部材６１０を回動自在になっている（図３３の矢印ｋ、ｌ参照）。解除操作部材６１０の先端側はＪ字状に折曲されて支持プレート６０１の折り曲げ部６０５の外側に係脱自在に係合する係合部６１２となっている。回動軸６０９と解除操作部材６１０の間には、解除操作部材６１０を常時、図３３の反時計方向へ付勢するゼンマイバネ（図示せず）が介装されている。
【００７５】
図３３のロープ牽引装置５０１Ｂへの吊り下げロープ装填方法を説明すると、まず制限手段６００の操作突起６１１を指で操作し、カム６０８の回動と解除操作部材６１０の回動を平行して行い、図３４の如く係合部６１２を折り曲げ部６０５の外側に係合しておく。プーリカバー５５０を開いて吊り下げロープ１１２（１１３）の一端側を制限手段６００のロープ挿通部６０２に挿通し、更に入口部５３２と出口部５３３の間の隙間５４４から入口通路部５３４に挿入し、分離部５４０の左側を通してプーリ５２０に一周弱巻き掛け、分離部５４０の右側を通して入口部５３２と出口部５３３の隙間５４４から出口通路部５３５に挿入したのち（図３４参照）、掛け止め部５８０、５８１に巻き掛けて掛け止める。
【００７６】
そしてプーリカバー５５０を閉じるとともに、解除操作部材６１０の操作突起６１１を指で操作し、係合部６１２の係合を外し、カム６０８の回動と解除操作部材６１０の回動を平行して行い、カム６０８を吊り下げロープ１１２（１１３）に接近させて指を離す。カム６０８はゼンマイバネにより外周部６０６がロープ挿通部６０２に挿通されたロープ方向に付勢されて吊り下げロープ１１２（１１３）に押接する。ロープ挿通部６０２の出口側で吊り下げロープ１１２（１１３）が下方（図３５の矢印ｒ参照）へ引っ張られたとき、カム６０８に反時計方向の外力が加わるが、外周部６０６が吊り下げロープ１１２（１１３）から離間する方向なのでカム６０８は容易に反時計方向へ回動し、入口側ロープ１１２ａ（１１３ａ）のプーリ方向への移動が許容される。反対に、ロープ挿通部６０２の入口側で吊り下げロープ１１２（１１３）が上方（図３５の矢印ｓ参照）へ引っ張られたとき、カム６０８に時計方向の外力が加わるが、外周部６０６が吊り下げロープ１１２（１１３）に接近する方向なのでカム６０８は吊り下げロープ１１２（１１３）に食い込んで移動を制限する（吊り下げロープ１１２（１１３）がロープ挿通部６０２とカム６０８に挟持される）。
【００７７】
吊り下げ式養生装置１２０を上昇させるために吊り下げロープ１１２（１１３）の牽引を開始する場合、巻き掛け部５８０、５８１から出口側ロープ１１２ｂ（１１３ｂ）を外し、充電式電動ドライバ５１５により入力軸５０７を正転させる。すると、プーリ５２０が正転し、このとき制限手段６００が吊り下げロープ１１２（１１３）の移動を許容している方向なので入口側ロープ１１２ａ（１１３ａ）はプーリ５２０により円滑に牽引され、吊り下げロープ１１２、１１３に沿ってロープ牽引装置５０１Ｂ、吊り下げ式養生装置１２０が上昇する。
吊り下げロープ１１２（１１３）の牽引を停止したい場合、充電式電動ドライバ５１５による入力軸５０７の駆動を停止する。吊り下げ式養生装置１２０とロープ牽引装置５０１Ｂの自重によりロープ挿通部６０２の入口側でロープ牽引装置５０１Ｂから見て吊り下げロープ１１２（１１３）が上方へ引っ張られると、カム６０８に時計方向の外力が加わるが、外周部６０６が吊り下げロープ１１２（１１３）に接近する方向なのでカム６０８は吊り下げロープ１１２（１１３）に食い込んで移動を制限する。従って、出口側ロープ１１２ｂ（１１３ｂ）が入口側に引き戻されてロープ牽引装置５０１Ｂ、吊り下げ式養生装置１２０が下降することはない。
ロープ牽引装置５０１Ｂと吊り下げ式養生装置１２０の自重を受けて入口側ロープ１１２ａ（１１３ａ）がロープ牽引装置５０１Ｂから見て図３５の上方へ引っ張られた状態で、引っ張られている方向へ引き戻してロープ牽引装置５０１Ｂ、吊り下げ式養生装置１２０を下降させたい場合、出口側ロープ１１２ｂ（１１３ｂ）を掛け止め部５８０、５８１に巻き掛けて掛け止めておき、入力軸５０７に手動式回転工具５９０を結合して正転し、吊り下げロープ１１２（１１３）に対するカム６０８の食い込みをゆるめ、制限手段６００の操作突起６１１を指で操作し、カム６０８の回動と解除操作部材６１０の回動を平行して行い、図３４の如く係合部６１２を折り曲げ部６０５の外側に係合する。そして、掛け止め部５８０、５８１から外した出口側ロープ１１２ｂ（１１３ｂ）を把持する把持力を弱めると、入口側ロープ１１２ａ（１１３ａ）の引っ張り力でプーリ５２０が逆転し、出口側ロープ１１２ｂ（１１３ｂ）が入口側へ引き戻されていき、吊り下げロープ１１２（１１３）をロープ牽引装置５０１Ｂ、吊り下げ式養生装置１２０が下降していく。
【００７８】
図３３の変形例によれば、ラチェット機構を用いずに、吊り下げロープ１１２（１１３）の牽引による上昇中や停止中に出口側ロープ１１２ｂ（１１３ｂ）が引き戻されてロープ牽引装置５０１Ｂが下降するのを制限することができ、また吊り下げロープ１１２（１１３）の入口側を引き出して下降させたい場合に制限を解除することもできる。また、支持体５０２Ｂの内、入口部５３２よりも入口側に制限手段６００のロープ挿通部６０２を配設したので、入口側でのロープ通路が長くなり、プーリ５２０への吊り下げロープ１１２（１１３）の案内をより円滑に行うことができる。
【００７９】
カム式の制限手段の他の具体例を図３６、図３７に示す。図３６、図３７のロープ牽引装置５０１Ｃでは支持体５０２Ｃの正面側右上部で、出口部５３３とプーリ５２０と掛け止め部５８０の間に、カム式の制限手段７００が装着されている。制限手段７００の内、７０１は支持体５０２Ｃの正面側の右上部に装着された支持プレートであり、右側部がＵ字状に折り曲げられて内側に回動軸７０４が回転自在に装着された折り曲げ部７０５となっている。回動軸７０４には外周部７０６に多数の歯７０７が突設されたカム７０８の基端部が嵌着されている。カム７０８は回動軸７０４を回動中心として後述するロープ当接部のロープ溝に通されたロープに対し接近する方向と、離間する方向に回動可能となっている（図３７の矢印ｍ、ｎ参照）。回動軸７０４とカム７０８の間には、カム７０８を常時、図３６、図３７の反時計方向へ付勢するゼンマイバネ（図示せず）が介装されている。
【００８０】
カム７０８の真ん中近くに回動軸７０９が回転自在に装着されており、この回動軸７０９にＬ字状の解除操作部材７１０の基端部が嵌着されている。解除操作部材７１０の角部には支持体５０２Ｃの前方へ突出した円柱状の操作突起７１１が装着されており、操作突起７１１を指で操作することで回動軸７０９を中心として解除操作部材７１０を回動自在になっている（図３７の矢印ｏ、ｑ参照）。解除操作部材７１０の先端側はＪ字状に折曲されて支持プレート７０１の折り曲げ部７０５の外側に係脱自在に係合する係合部７１２となっていいる。回動軸７０９と解除操作部材７１０の間には、解除操作部材７１０を常時、図３６、図３７の時計方向へ付勢するゼンマイバネ（図示せず）が介装されている。
【００８１】
分離部５４０Ｃは図３６、図３７の右側が斜め下方向へ鷲鼻状に延設されてプーリ５２０のＨ字溝５２１の中に遊挿されたロープ当接部５４５となっており、ロープ当接部５４５の外側面側に断面が円弧状のロープ溝５４６が形成されている。プーリカバー５５０Ｃは、図３６の右上部分の側面に開口８００が形成されており、カム７０８と解除操作部材７１０が回動してもプーリカバー５５０Ｃと干渉しないようになっている。
【００８２】
図３６、図３７の如く構成されたロープ牽引装置５０１Ｃへの吊り下げロープ装填方法を説明すると、まず制限手段７００の操作突起７１１を指で操作し、カム７０８の回動と解除操作部材７１０の回動を平行して行い、図３８の如く係合部７１２を折り曲げ部７０５の外側に係合しておく。プーリカバー５５０Ｃを開いて吊り下げロープ１１２（１１３）の一端側を入口部５３２と出口部５３３の間の隙間５４４から入口通路部５３４に挿入し、分離部５４０Ｃの左側を通してプーリ５２０に一周弱巻き掛け、分離部５４０Ｃのロープ案内部５４５のロープ溝５４６に嵌め、入口部５３２と出口部５３３の隙間５４４から出口通路部５３５に挿入したのち（図３８参照）、掛け止め部５８０、５８１に巻き掛けて掛け止める。
【００８３】
そしてプーリカバー５５０Ｃを閉じるとともに、解除操作部材７１０の操作突起７１１を指で操作し、係合部７１２の係合を外し、カム７０８の回動と解除操作部材７１０の回動を平行して行い、カム７０８を吊り下げロープ１１２（１１３）に接近させて指を離す。カム７０８はゼンマイバネにより外周部７０６がロープ方向に回動付勢されて吊り下げロープ１１２（１１３）をロープ当接部５４５に押接する（図３９参照）。吊り下げロープ１１２（１１３）にプーリ５２０のロープ出口近く（ロープ溝５４６の入口近く）から出口部５３３に向かう方向（図３９の矢印ｔ参照）の力が掛かっているとき、カム７０８に時計方向の外力が加わるが、外周部７０６がロープ溝５４６に嵌った吊り下げロープ１１２（１１３）から離間する方向なのでカム７０８は容易に時計方向へ回動し、出口側ロープ１１２ｂ（１１３ｂ）の出口部５３３から外側方向への移動が許容される。反対に、吊り下げロープ１１２（１１３）に入口部５３２から図３９の上方へ引っ張る方向（矢印Ｕ参照）の力が掛かったとき、カム７０８に反時計方向の外力が加わるが、外周部７０６がロープ溝５４６に嵌った吊り下げロープ１１２（１１３）に接近する方向なのでカム７０８は外周部７０６が吊り下げロープ１１２（１１３）に食い込んで移動を制限するがカム７０８とロープ当接部５４５の間に挟持される）。
【００８４】
吊り下げ式養生装置１２０を上昇させるために吊り下げロープ１１２（１１３）の牽引を開始する場合、巻き掛け部５８０、５８１から出口側ロープ１１２ｂ（１１３ｂ）を外し、充電式電動ドライバ５１５により入力軸５０７を正転させる。すると、プーリ５２０が正転し、このとき制限手段７００が吊り下げロープ１１２（１１３）の移動を許容している方向なので入口側ロープ１１２ａ（１１３ａ）はプーリ５２０により円滑に牽引され、吊り下げロープ１１２（１１３）に沿ってロープ牽引装置５０１Ｃ、吊り下げ式養生装置１２０が上昇する。
吊り下げロープ１１２（１１３）の牽引を停止したい場合、充電式電動ドライバ５１５による入力軸５０７の駆動を停止する。吊り下げ式養生装置１２０、ロープ牽引装置５０１Ｃの自重により、入口側ロープ１１２ａ（１１３ａ）がロープ牽引装置５０１Ｃから見て入口部５３２の上方へ引っ張られると、ロープ当接部５４５のロープ溝５４６に嵌った出口側ロープ１１２ｂ（１１３ｂ）はプーリ５２０の方向へ引っ張られてカム７０８に反時計方向の外力が加わるが、外周部７０６が吊り下げロープ１１２（１１３）に接近する方向なのでカム７０８は吊り下げロープ１１２（１１３）に食い込んで移動を制限する。従って、出口側ロープ１１２ｂ（１１３ｂ）が入口側に引き戻されてロープ牽引装置５０１Ｃ、吊り下げ式養生装置１２０が下降することはない。
ロープ牽引装置５０１Ｃ、吊り下げ式養生装置１２０の自重を受けて入口側ロープ１１２ａ（１１３ａ）が図３９の上方へ引っ張れた状態で、引っ張られている方向へ引き戻してロープ牽引装置５０１Ｃを下降させたい場合、出口側ロープ１１２ｂ（１１３ｂ）を掛け止め部５８０、５８１に巻き掛けて掛け止めておき、入力軸５０７に手動式回転工具５９０を結合して正転し、吊り下げロープ１１２（１１３）に対するカム７０８の食い込みをゆるめ、制限手段７００の操作突起７１１を指で操作し、カム７０８の回動と解除操作部材７１０の回動を平行して行い、図３８の如く係合部７１２を折り曲げ部７０５の外側に係合する。そして、掛け止め部５８０、５８１から外した出口側ロープ１１２ｂ（１１３ｂ）を把持する把持力を弱めると、入口側ロープ１１２ａ（１１３ａ）の引っ張り力でプーリ５２０が逆転し、出口側ロープ１１２ｂ（１１３ｂ）が入口側へ引き戻されていき、吊り下げロープ１１２（１１３）をロープ牽引装置５０１Ｃ、吊り下げ式養生装置１２０が下降していく。
【００８５】
図３６、図３７の変形例によってもラチェット機構を用いずに、吊り下げロープ１１２（１１３）の牽引による上昇中や停止中に出口側ロープ１１２ｂ（１１３ｂ）が引き戻されるのを制限することができ、また吊り下げロープ１１２（１１３）の入口側を引き出して下降させたい場合に制限を解除することもできる。また、支持体５０２Ｃの内、出口部５３３、プーリ５２０、掛け止め部５８０の間に制限手段７００を装備したので、装置が大きくならずに済む。また、吊り下げロープ１１２（１１３）をロープ当接部５４５とカム７０８により挟持するようにしたので、吊り下げロープ１１２（１１３）の入口側が引き出される方向（ロープ牽引装置５０１Ｃが下降する方向）への移動を確実に制限することができる。
なお、制限手段７００を入口部５３２とプーリ５２０の間に装備するようにしても良い（この場合、分離部の図３６、図３７における左側を斜め下方向へ延設してロープ当接部とすれば良い）。
【００８６】
また、上記した第１実施例では吊り下げ式養生装置の昇降を２つの登降装置により行うようにしたが、登降装置の代わりに、吊り下げロープの昇降を行うウインチ等のロープ昇降装置（図１６乃至図３９で説明した各種のロープ牽引装置を含む）を屋上または支持具または地上等に配備して行っても良い。
例えば図１６に示すロープ牽引装置５０１を２台、屋上に配備する場合、図４０、図４１に示す如く、建物１００の屋上の内、補修対象側のパラペット１０３に２つの支持具２０１、２０７を設置し、パラペット１０３と反対側のパラペット９００に４つのロープ固定具９０１乃至９０４を設置しておく（なお、図４０では安全ロープ１０１、１０２、１０４、１０５は省略してある）。屋上に配置した第３の作業者はプーリカバー５５０が閉じ、操作つまみ５７１がＰ１ポジションに固定した２つのロープ牽引装置５０１−１と５０１−２、２本の吊り下げロープ２００、２０６を用意し、ロープ牽引装置５０１−１のロック部材５５３を図１７の下方（図２４（１）矢印ａ方向）へ押し下げ、係合爪５５８を係合溝５３８、５３９から離間してロックを外し、プーリカバー５５０を図１８の矢印ｃ方向へ開放する。
【００８７】
吊り下げロープ２００の一端側をロープ牽引装置５０１−１の入口部５３２と出口部５３３の間の隙間５４４から入口通路５３５に挿入し、分離部５４０の左側を通してプーリ５２０に一周弱巻き掛け、分離部５４０の右側を通して入口部５３２と出口部５３３の隙間５４４から出口通路部５３５に挿入したのち（図３０参照）、掛け止め部５８０、５８１に巻き掛けて掛け止める。そして、ロック部材５５３を図１７の下方（図２４（１）矢印ｂ参照）に押し下げながらプーリカバー５５０を閉じ、嵌合部５５２を被勘合部５３６、５３７に嵌合する。ロック部材５５３の押し下げを解放すると、圧縮バネ５５４、５５５によりロック部材５５３が上方に付勢されて、係合爪５５８が係合溝５３８、５３９内に係合してロックする。
吊り下げロープ２０６も同様にしてロープ牽引装置５０１−２に装填する。
【００８８】
ロープ牽引装置５０１−１のロープ取り付け孔４とロープ固定具９０１、９０２の間に２本のロープ９０５、９０６を張設し、ロープ牽引装置５０１−２のロープ取り付け孔４とロープ固定具９０３、９０４の間に２本のロープ９０７、９０８を張設し、支点確保する。吊り下げロープ２００の他端側を支持具２０１の立設支柱２０２に設けたシーブ２０３、先端シーブ２０４に巻き掛けて地上に垂らす。同様に、吊り下げロープ２０６の他端側を支持具２０７の立設支柱２０８に設けたシーブ２０９、先端シーブ２１０に巻き掛けて地上に垂らす。
地上側の作業者は、吊り下げロープ２００の下端にカラビナ２０５を介して二本のロープ３、４の一端側を連結し、ロープ３、４の他端側を吊り下げ式養生装置１２０の装置本体１２１の左側の２つのロープ取り付け板１４５、１４６に取着する。同様に吊り下げロープ２０６の下端にカラビナ２１１を介して二本のロープ７、８の一端側を連結し、ロープ７、８の他端側を装置本体１２１の右側の２つのロープ取り付け板１４７、１４８に取着する。
【００８９】
吊り下げ式養生装置１２０を上昇させたい場合、屋上に配置した作業者が制限手段５１０を逆転制限状態にしたロープ牽引装置５０１−１、５０１−２を充電式電動ドライバ５１５で正転駆動し、吊り下げロープ２００、２０６の入口側ロープ２００ａ、２０６ａを出口部５３４の側へ牽引すればよい。反対に、吊り下げ式養生装置１２０を下降させたい場合、ロープ牽引装置５０１−１、５０１−２の制限手段５１０を解除状態とし、出口側ロープ２００ｂ、２０６ｂを掴んだ手を少し緩め、吊り下げ式養生装置１２０の荷重で入口側ロープ２００ａ、２０６ａに掛かるパラペット１０３方向への引っ張り力により、プーリ５２０を逆転させ、入口側ロープ２００ａ、２０６ａを入口部５３４の外側方向（パラペットへ１０３方向）へ引き戻させれば良い。
図４０、４１のようにしても、作業者Ａ、Ｂは吊り下げ式養生装置１２０に作業者の体重を掛けないようにして作業できるので、吊り下げ式養生装置１２０、支持具２０１、２０７、ロープ牽引装置５０１−１、５０１−２をそれほど大型・頑強にする必要がなく、設備負担が少なくて済む。また、商用電源の無い屋上でも吊り下げロープ２００、２０６の牽引が可能である。
なお、ロープ牽引装置５０１−１、５０１−２は図３１、図３３、図３６のロープ牽引装置５０１Ａ、５０１Ｂ、５０１Ｃとしても良い。また、ウインチ等、他のロープ昇降装置に置き換えても良い。
また、２つのロープ牽引装置を一台で２本の吊り下げロープ２００、２０６を連動して繰り出し、引き上げ可能なロープ牽引装置等のロープ昇降装置に置き換えても良い。
【００９０】
ウインチ等のロープ昇降装置を地上に設置する場合は、例えばパラペットに左右間隔をあけて取着した２つの支持具の各々の先端近くに滑車を懸吊し、一端側が地上に設置した左側用と右側用のロープ昇降装置（図示せず）に接続された２本の吊り下げロープを各々、左右の滑車に巻き掛けるとともに、２本の吊り下げロープの他端側をカラビナとロープを介して吊り下げ式養生装置の左右に連結すれば良い。吊り下げ式養生装置を昇降させたい場合、地上に配置した第３の作業者がロープ昇降装置を昇降稼動して、吊り下げロープを昇降すればよい。或いは、建物外面の補修等を行う作業者Ａ、Ｂが遠隔操作で昇降稼動をしても良い。
このように、ロープ昇降装置を用いて吊り下げロープを昇降可能とすることにより、第１実施例の如く登降装置と電動工具の組み合わせで昇降させるよりも作業者の負担が軽減する。また建物外面に対する作業を屋上側から行いたい場合に、迅速に吊り下げ式養生装置を地上から上昇させて屋上近くに設置することができる。
【実施例２】
【００９１】
次に、図４２乃至図４７を参照して本発明に係る建物外面に対する作業方法の第２実施例を説明する。図４２は本発明に係る建物外面に対する作業方法の説明図、図４３乃至図４７は準備手順の説明図であり、なお、図１と同一の構成部分には同一の符号が付してある。
第１実施例では吊り下げ式養生装置だけ用いて養生を行う場合を説明したが、第２実施例は吊り下げ式養生装置と吊り下げ式の養生シートを組み合わせ、吊り下げ式養生装置と吊り下げ式の養生シートを別々に、吊り下げロープを手で操作して上下に昇降可能としたものである。例えば吊り下げ式養生装置を地上近くに設置し、建物の屋上近くから吊り下げ式養生装置まで建物との間に作業空間を空けて吊り下げ式の養生シートを配設し、作業者は屋上から建物と吊り下げ式の養生シートの間に入って、かつ吊り下げ式養生装置の中または上方でロープアクセス技術により建物外面に対する作業を行うことができる。
【００９２】
図４２において、２２０と２２１は、パラペット１０３に着脱自在に固定されるとともにパラペット１０３より建物外側方向へ延設された支持具であり、吊り下げ式養生装置１２０の横幅と同じ間隔を空けて取着されている。支持具２２０、２２１の先端近くと先端に滑車２２２と２２３、２２４と２２５が懸吊されており、滑車２２２と２２４に吊り下げ式養生装置１２０を吊るす吊り下げロープ２２６と２２７、滑車２２３と２２５に養生シート（メッシュシート）２５０を吊るす吊り下げロープ２２８と２２９が巻装されている。滑車２２２、２２４から垂れ下がった吊り下げロープ２２６、２２７の一端側にカラビナ２０５、２１１が掛着されており、カラビナ２０５、２１１に上端側が掛着された２本ずつのロープ３と４、７と８の下端側がロープ取り付け板１４５と１４６、１４７と１４８に取着されている。吊り下げロープ２２６、２２７の他端側は、吊り下げ式養生装置１２０が地上からある高さだけ引き上げられた状態で地上に固定されている。
【００９３】
滑車２２３と２２５に巻装された吊り下げロープ２２８と２２９の一端側に、吊り下げ式養生装置１２０の横幅と略同一の長さを有し、水平方向に延設された横杆２５１の両端近くが取着されている。横杆２５１には長方形状の養生シート２５０の上端の内、左側端部と右側端部を除く中央部分が取着されている。養生シート２５０は上下方向の長さが建物１００の高さとほぼ同じで、横幅が吊り下げ式養生装置１２０の横幅に、前後方向の奥行きの２倍を足した長さとほぼ同じである。吊り下げロープ２２８と２２９の他端側は、養生シート２５０の上端が滑車２２３、２２５の近くまで引き上げた状態で地上に固定されている。
【００９４】
養生シート２５０の内、横杆２５１の左側端部の上端は支持具２２０に沿って建物１００の方向に折り曲げられて左端が支持具２２０の建物１００寄りに着脱自在に取着されている。同様に養生シート２５０の内、横杆２５１の右側端部の上端は支持具２２１に沿って建物１００の方向に折り曲げられて右端が支持具２２１の建物１００寄りに着脱自在に取着されている。養生シート２５０の下部は吊り下げ式養生装置１２０の中に収納されて固定されている。
【００９５】
建物１００の屋上に支点確保された作業者Ａ用のメイン側とバックアップ側の安全ロープ１０１と１０２、作業者Ｂ用のメイン側とバックアップ側の安全ロープ１０４と１０５がパラペット１０３を乗り越えて地上近くまで垂れ下がっており、下部が吊り下げ式養生装置１２０の中に入っている。作業者Ａは自身に装着した安全帯のメイン側のランヤードを安全ロープ１０１に取着した昇降器具（図示せず）に掛着し、バックアップ側のランヤードを安全ロープ１０２に取着した墜落防止器具（図示せず）に掛着し、パラペット１０３を越えて建物１００の外面に沿って安全ロープ１０１に吊り下がり補修等の作業を行う。作業者Ｂも自身に装着した安全帯のメイン側のランヤードを安全ロープ１０４に取着した昇降器具（図示せず）に掛着し、バックアップ側のランヤードを安全ロープ１０５に取着した墜落防止器具（図示せず）に掛着し、パラペット１０３を越えて建物１００の外面に沿って安全ロープ１０１に吊り下がり補修等の作業を行う。
【００９６】
次に、第２実施例の作用につき説明する。
ここでは建物１００は５、６階建てであり、吊り下げ式養生装置１２０を地上より高い位置（例えば２階の高さ）に設置して吊り下げ式養生装置１２０の下を人が通れるようにし、作業者が屋上側から吊り下げ式養生装置１２０の高さまでロープアクセス技術により補修等の作業を行う場合を例にして説明する。
予め建物１００の屋上のパラペット１０３に、吊り下げ式養生装置１２０の横幅と同じ間隔で装着された２つの支持具２２０、２２１の各先端近くと先端に懸吊した滑車２２２と２２３、２２４と２２５に吊り下げロープ２２６と２２８、２２７と２２９が巻装済みであり、屋上に支点確保された４本の安全ロープ１０１、１０２、１０４、１０５がパラペット１０３を超えて地上近くまで垂れ下がっているものとする。
【００９７】
（１）準備
作業者Ａ、Ｂは地上で吊り下げ式養生装置装置１２０を支持具２２０、２２１の直下へ移動し、吊り下げロープ２２６の一方の下端にカラビナ２０５を掛着し、２本のロープ３、４の上端をカラビナ２０５に掛着し、下端をロープ取り付け板１４５、１４６に掛着する。同様に、吊り下げロープ２２７の一方の下端にカラビナ２１１を掛着し、２本のロープ７、８の上端をカラビナ２１１に掛着し、下端をロープ取り付け板１４７、１４８に掛着する（図４３参照）。
【００９８】
次に、養生シート２５０を吊り下げ式養生装置１２０の中に入れ下端を装置本体１２１に固定するとともに、上端に取着された横杆２５１を背面シート養生部１２８の枠体１３３の上に載せる。吊り下げロープ２２８の一端側を横杆２５１の左端近くに取着し、吊り下げロープ２２９の一端側を横杆２５１の右端近くに取着する（図４４参照）。
【００９９】
作業者Ａ、Ｂは各々、吊り下げロープ２２６、２２７の他端側を下方へ引っ張り、吊り下げ式養生装置１２０を例えば２階の高さまで上げ、吊り下げロープ２２６、２２７の他端側を地上に固定する（図４５参照）。続いて、作業者Ａ、Ｂは各々、吊り下げロープ２２８、２２９の他端側を下方へ引っ張り、養生シート２５０の上端を支持具２２０、２２１の滑車２２３、２２５近くまで引き上げ、吊り下げロープ２２８、２２９の他端側を地上に固定する（図４６、図４７参照）。
この後、作業者Ａ、Ｂは屋上へ移動し、養生シート２５０の左上隅と右上隅を各々支持具２２０、２２１の内、建物１００寄りに取着する。これにより、建物１００の外面の外側で吊り下げ式養生装置１２０の上方の空間が養生シート２５０に囲まれるようにして養生される（図４７参照）。
【０１００】
（２）補修等の作業
屋上で作業者Ａは自身に装着した安全帯のメイン側のランヤードを安全ロープ１０１に取着した昇降器具（図示せず）に掛着し、バックアップ側のランヤードを安全ロープ１０２に取着した墜落防止器具（図示せず）に掛着し、吊り下げ式養生装置１２０の上方でパラペット１０３を乗り越え、建物１００の外面と養生シート２５０の間の空間に入り、安全ロープ１０１に吊り下がりながら建物１００の屋上側から吊り下げ式養生装置１２０まで順に外面に対する補修等の作業を行っていく。作業者Ｂも自身に装着した安全帯のメイン側のランヤードを安全ロープ１０４に取着した昇降器具（図示せず）に掛着し、バックアップ側のランヤードを安全ロープ１０５に取着した墜落防止器具（図示せず）に掛着し、吊り下げ式養生装置１２０の上方位置でパラペット１０３を乗り越え、建物１００の外面と養生シート２５０の間の空間に入り、安全ロープ１０４に吊り下がりながら建物１００の屋上側から吊り下げ式養生装置１２０まで順に外面に対する補修等の作業を行っていく（図４２参照）。
【０１０１】
作業で生じた補修部材や壁等の破片等や誤って落とした作業道具は、養生シート２５０に当たって吊り下げ式養生装置１２０の中に落下したり、直接吊り下げ式養生装置１２０の中に落下したりして、養生シート２５０の外側や地上への落下、飛散が防止される。
なお、作業が吊り下げ式養生装置１２０に近づいた場合でも、作業者Ａ、Ｂは体重が吊り下げ式養生装置１２０に殆ど掛からないようにする。
作業が終われば、作業者Ａ、Ｂは吊り下げ式養生装置１２０の脇から地上へ降り、吊り下げロープ２２６、２２７の地上側の固定を外して吊り下げ式養生装置１２０を地上に降ろし、吊り下げロープ２２８、２２９の地上側の固定を外して養生シート２５０を吊り下げ式養生装置１２０に降ろす。
【０１０２】
この第２実施例によれば、作業者Ａ、Ｂが建物１００の屋上から垂れ下がった安全ロープ１０１と１０２、１０４と１０５に支持されて建物１００の屋上側から地上側に向けて順に建物１００の外面に対する補修等の作業を行うのに際して、下方に設置した吊り下げ式養生装置１２０と、建物１００の外面の屋上近くから吊り下げ式養生装置１２０まで建物１００の外面との間に作業空間をあけながら配設した養生シート２５０で囲まれた中で作業を行うことができる。屋上近くから吊り下げ式養生装置１２０までの間で作業しているときに、壁や補修部材等の破片等、誤って落下させた作業工具は養生シート２５０に当たって吊り下げ式装置１２０の中に落下したり、直接、吊り下げ式養生装置１２０の中に落下するので、養生シート２５０の外側や地上への落下、飛散が防止される。
また、補修等の作業中に吊り下げ式養生装置１２０を昇降させないので、作業を迅速に進めることができる。
また、吊り下げ式養生装置１２０には作業者Ａ、Ｂの体重が掛からない為、吊り下げ式養生装置１２０や支持具２２０、２２１を頑強にする必要がなく、また吊り下げ式養生装置１２０の重量が軽量で済むので手動で昇降することができ、設備負担が少なくて済む。
【０１０３】
なお、上記した第２実施例では、吊り下げ式の養生シート（メッシュシート）を用いたが吊り下げ式の養生ネットに置き換えても良い。
また、吊り下げ式養生装置を建物の地上寄りに設置する場合を例に挙げて説明したが、建物の屋上寄りや、高さ方向の中ほどに設置し、養生シートを屋上近くから吊り下げ式養生装置まで配設するようにしても良い。
また、作業対象範囲が屋上より下方の場合などには、養生シートの上端を必ずしも屋上近くまで上昇させる必要はなく、建物外面との間に作業空間を空けながら、吊り下げ式養生装置の上方の所望高さから吊り下げ式養生装置まで配設するようにしても良い。また、養生シートの下端側を吊り下げ式養生装置の中に固定する代わりに、吊り下げ式養生装置の外に出し、地上近くまたは地上から一定高さ位置に固定するようにしても良い。
建物の外面に対する作業空間を確保しながら吊り下げ式養生装置の上方から吊り下げ式養生装置近くまで、または吊り下げ式養生装置の上方から吊り下げ式養生装置の下方まで養生シートまたは養生ネットを配設することにより、吊り下げ式養生装置の上方で作業しているときに壁や補修部材等の破片や作業道具等を落下させても、建物の周囲への飛散を防止できる。
【０１０４】
また上記した第２実施例では吊り下げ式養生装置と養生シートの昇降を手動で行うようにしたが、吊り下げロープの昇降を行うウインチ、図１６等に示したロープ牽引装置等のロープ昇降装置を屋上または支持具または地上等に設置して行っても良い。
４台のロープ昇降装置を屋上に設置する場合、例えば図４８に示す如く、一端側を左側用の第１のロープ昇降装置（図示せず）に接続した左側の吊り下げロープ３００を左側の支持具３０１の立設支柱３０２に設けたシーブ３０３と先端近くに設けたシーブ３０４に巻き掛けながら下方へ垂下し、吊り下げロープ３００の下端にカラビナ２０５を介して二本のロープ３、４の一端側を連結し、ロープ３、４の他端側を装置本体１２１の左側の２つのロープ取り付け板１４５、１４６に取着する。同様に一端側を右側用の第２のロープ昇降装置（図示せず）に接続した右側の吊り下げロープ３０５を右側の支持具３０６の立設支柱３０７に設けたシーブ３０８と先端に設けたシーブ３０９に巻き掛けながら下方へ垂下し、吊り下げロープ３０５の下端にカラビナ２１１を介して二本のロープ７、８の一端側を連結し、ロープ７、８の他端側を装置本体１２１の右側の２つのロープ取り付け板１４７、１４８に取着する。
【０１０５】
また、一端側を左側用の第３のロープ昇降装置（図示せず）に接続した左側の吊り下げロープ３１１を左側の支持具３０１の立設支柱３０２に設けたシーブ３１２と先端近くに設けたシーブ３１３に巻き掛けながら下方へ垂下し、吊り下げロープ３１１の下端に養生シート２５０の横杆２５１の左端部を取着する。同様に一端側を右側用の第４のロープ昇降装置（図示せず）に接続した右側の吊り下げロープ３１４を右側の支持具３０６の立設支柱３０７に設けたシーブ３１５と先端に設けたシーブ３１６に巻き掛けながら下方へ垂下し、吊り下げロープ３１４の下端に横杆２５１の右端部を取着する。
【０１０６】
吊り下げ式養生装置１２０を昇降させたい場合、屋上に配置した第３の作業者が第１、第２のロープ昇降装置を昇降稼動して、吊り下げロープ３００、３０５を昇降すればよい。或いは、建物外面の補修等を行う作業者Ａ、Ｂが遠隔操作で昇降稼動をしても良い。同様に、養生シート２５０の上端を昇降させたい場合、屋上に配置した第３の作業者が第３、第４のロープ昇降装置を昇降稼動して、吊り下げロープ３１１、３１４を昇降すればよい。或いは、建物外面の補修等を行う作業者Ａ、Ｂが遠隔操作で昇降稼動をしても良い。
このようにしても、作業者Ａ、Ｂは吊り下げ式養生装置に作業者の体重を掛けないようにできるので、吊り下げ式養生装置１２０、支持具３０１、３０６、第１乃至第４のロープ昇降装置をそれほど大型・頑強にする必要がなく、設備負担が少なくて済む。
なお、第１、第２のロープ昇降装置に代えて一台で２本の吊り下げロープ３００、３０５を連動して繰り出し、引き上げ可能なロープ昇降装置を用いても良く、第３、第４のロープ昇降装置に代えて一台で２本の吊り下げロープ３１１、３１４を連動して繰り出し、引き上げ可能なロープ昇降装置を用いても良い。
【０１０７】
ウインチ、ロープ牽引装置等のロープ昇降装置を地上に設置する場合は、図４２中の吊り下げロープ２２６乃至２２９の地上固定側を各々、第１乃至第４のロープ昇降装置（図示せず）に接続すれば良い。吊り下げ式養生装置１２０を昇降させたい場合、地上に配置した第３の作業者が第１、第２のロープ昇降装置を昇降稼動して、吊り下げロープ２２６、２２７の吊り下げ式養生装置１２０側（カラビナ２０５、２１１側）を昇降すればよい。或いは、建物外面の補修等を行う作業者Ａ、Ｂが遠隔操作で昇降稼動をしても良い。吊り下げ式の養生シート２５０を昇降させたい場合、地上に配置した第３の作業者が第３、第４のロープ昇降装置を昇降稼動して、吊り下げロープ２２８、２２９側（横杆２５１側）を昇降すればよい。或いは、建物外面の補修等を行う作業者Ａ、Ｂが遠隔操作で昇降稼動をしても良い。
【０１０８】
このように、ロープ昇降装置を用いて吊り下げ式養生装置を吊るす吊り下げロープと、養生シートを吊るす吊り下げロープを別個に昇降可能とすることにより、高層の建物の屋上寄りや、高さ方向の中ほどに吊り下げ式養生装置を設置し、養生シートを屋上近くから吊り下げ式養生装置まで、或いは吊り下げ式養生装置の上方の所望高さから吊り下げ式養生装置まで配設したい場合に、迅速に吊り下げ式養生装置を所望高さに設置し、かつ、養生シートを所望範囲に配設することかできる。これらの場合に、養生シートの下部を吊り下げ式養生装置の外に出しておき、下端を地上近くに固定しておいても良い。
また、高層の建物の屋上側からの作業の進行に連れて吊り下げ式養生装置を順次降下させたい場合も、ロープ昇降装置を用いることにより、吊り下げ式養生装置に養生シートを載せて屋上近くへ迅速に上昇させたあと、建物外面に対する補修作業の進行とともに、養生シートの上端は支持具の近くに維持したまま吊り下げ式養生装置を降下させることで、養生シートの下部が吊り下げ式養生装置から引き出されて自然に屋上近くから吊り下げ式養生装置までの範囲に養生シートが配設させることができる。この場合も、養生シートの下部を吊り下げ式養生装置の外に出しておき、下端を地上近くに固定しておいても良い。
【産業上の利用可能性】
【０１０９】
本発明は、マンション、ビル等の建築物の新築・改修・点検・清掃等の建物外面に対する各種作業に適用できる。
【符号の説明】
【０１１０】
１、５  登降装置
１００建物
１０１、１０２、１０４、１０５  安全ロープ
１０３  パラペット
１１０、１１１  支持具
１１２、１１３  吊り下げロープ
１２０  吊り下げ式養生装置
【図１】
2019190263.tif 000003
【図２】
2019190263.tif 000004
【図３】
2019190263.tif 000005
【図４】
2019190263.tif 000006
【図５】
2019190263.tif 000007
【図６】
2019190263.tif 000008
【図７】
2019190263.tif 000009
【図８】
2019190263.tif 000010
【図９】
2019190263.tif 000011
【図１０】
2019190263.tif 000012
【図１１】
2019190263.tif 000013
【図１２】
2019190263.tif 000014
【図１３】
2019190263.tif 000015
【図１４】
2019190263.tif 000016
【図１５】
2019190263.tif 000017
【図１６】
2019190263.tif 000018
【図１７】
2019190263.tif 000019
【図１８】
2019190263.tif 000020
【図１９】
2019190263.tif 000021
【図２０】
2019190263.tif 000022
【図２１】
2019190263.tif 000023
【図２２】
2019190263.tif 000024
【図２３】
2019190263.tif 000025
【図２４】
2019190263.tif 000026
【図２５】
2019190263.tif 000027
【図２６】
2019190263.tif 000028
【図２７】
2019190263.tif 000029
【図２８】
2019190263.tif 000030
【図２９】
2019190263.tif 000031
【図３０】
2019190263.tif 000032
【図３１】
2019190263.tif 000033
【図３２】
2019190263.tif 000034
【図３３】
2019190263.tif 000035
【図３４】
2019190263.tif 000036
【図３５】
2019190263.tif 000037
【図３６】
2019190263.tif 000038
【図３７】
2019190263.tif 000039
【図３８】
2019190263.tif 000040
【図３９】
2019190263.tif 000041
【図４０】
2019190263.tif 000042
【図４１】
2019190263.tif 000043
【図４２】
2019190263.tif 000044
【図４３】
2019190263.tif 000045
【図４４】
2019190263.tif 000046
【図４５】
2019190263.tif 000047
【図４６】
2019190263.tif 000048
【図４７】
2019190263.tif 000049
【図４８】
2019190263.tif 000050
【手続補正書】
【提出日】平成31年3月9日(2019.3.9)
【手続補正１】
【補正対象書類名】特許請求の範囲
【補正対象項目名】全文
【補正方法】変更
【補正の内容】
【特許請求の範囲】
【請求項１】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けた登降装置により吊持するようにし、
作業者は安全ロープに体重を支持された状態で吊り下げ式養生装置の中または上方で建物外面に対する作業をし、
作業者が作業位置を上または下に移動するに連れて、登降装置により吊り下げ式養生装置を上または下に移動すること、
を特徴とする建物外面に対する作業方法。
【請求項２】
登降装置は、回転式電動工具の回転力を受けて登高動作可能としたこと、
を特徴とする請求項１記載の建物外面に対する作業方法。
【請求項３】
回転式電動工具は充電式としたこと、
を特徴とする請求項２記載の建物外面に対する作業方法。
【請求項４】
登降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたことを特徴とする請求項２または３記載の建物外面に対する作業方法。
【請求項５】
登降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
入口部及び出口部とプーリの間に設けられて、入口側ロープと出口側ロープを分離する分離部と、
減速手段または支持体に設けられて、吊り下げロープ入口側の外部への引き出しの制限・制限解除をする制限手段と、
を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されていること、
を特徴とする請求項２または３記載の建物外面に対する作業方法。
【請求項６】
登降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
を備え、
制限手段は、
プーリと出口部の間のロープが通る経路に配備されてロープが当接するロープ当接部と、
ロープが入口部から外側に引き出される方向へ移動しようとするとき、ロープ当接部に当接したロープに食い込んで移動を制限し、反対方向へ移動しようとする際は、ロープから離間して移動を許容するように構成されたカムと、
カムをロープに食い込む方向へ付勢する付勢手段と、
カムをロープから離間させて制限を解除する解除手段と、
を含み、
ロープ当接部がプーリのロープを巻き掛ける溝の中に遊挿されていること、
を特徴とする請求項２または３記載の建物外面に対する作業方法。
【請求項７】
登降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
入口部及び出口部とプーリの間に設けられて、入口側ロープと出口側ロープを分離する分離部と、
支持体に設けられて、プーリの前面または前面と側面を開閉自在に覆うプーリカバーと、
プーリカバーを閉状態にロックしたり、ロック解除したりするロック手段と、を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されており、
プーリカバーは、プーリの入口部及び出口部とは反対側を開閉軸として、入口部及び出口部側を開閉可能になっており、
プーリカバーに、閉状態にロックされたとき入口部と出口部の間の隙間に入り、ロープが入口通路部または出口通路部から外れるのを邪魔する邪魔部を設けたこと、
を特徴とする請求項２または３記載の建物外面に対する作業方法。
【請求項８】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動すること、
を特徴とする建物外面に対する作業方法。
【請求項９】
ロープ昇降装置は、回転式電動工具の回転力を受けて吊り下げロープの上昇を可能としたこと、
を特徴とする請求項８記載の建物外面に対する作業方法。
【請求項１０】
回転式電動工具は充電式としたこと、
を特徴とする請求項９記載の建物外面に対する作業方法。
【請求項１１】
ロープ昇降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたことを特徴とする請求項９または１０記載の建物外面に対する作業方法。
【請求項１２】
ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
入口部及び出口部とプーリの間に設けられて、入口側ロープと出口側ロープを分離する分離部と、
減速手段または支持体に設けられて、吊り下げロープ入口側の外部への引き出しの制限・制限解除をする制限手段と、
を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されていること、
を備えたことを特徴とする請求項９または１０記載の建物外面に対する作業方法。
【請求項１３】
ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
を備え、
制限手段は、
プーリと出口部の間のロープが通る経路に配備されてロープが当接するロープ当接部と、
ロープが入口部から外側に引き出される方向へ移動しようとするとき、ロープ当接部に当接したロープに食い込んで移動を制限し、反対方向へ移動しようとする際は、ロープから離間して移動を許容するように構成されたカムと、
カムをロープに食い込む方向へ付勢する付勢手段と、
カムをロープから離間させて制限を解除する解除手段と、
を含み、
ロープ当接部がプーリのロープを巻き掛ける溝の中に遊挿されていること、
を備えたことを特徴とする請求項９または１０記載の建物外面に対する作業方法。
【請求項１４】
ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
入口部及び出口部とプーリの間に設けられて、入口側ロープと出口側ロープを分離する分離部と、
支持体に設けられて、プーリの前面または前面と側面を開閉自在に覆うプーリカバーと、
プーリカバーを閉状態にロックしたり、ロック解除したりするロック手段と、を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されており、
プーリカバーは、プーリの入口部及び出口部とは反対側を開閉軸として、入口部及び出口部側を開閉可能になっており、
プーリカバーに、閉状態にロックされたとき入口部と出口部の間の隙間に入り、ロープが入口通路部または出口通路部から外れるのを邪魔する邪魔部を設けたこと、
を備えたことを特徴とする請求項９または１０記載の建物外面に対する作業方法。
【請求項１５】
建物の屋上から作業者が安全ロープに吊り下がりながら建物外面に対する作業を行う方法であって、
建物屋上のパラペットに固定した支持具から垂らした吊り下げロープに、上方が開口した箱形の吊り下げ式養生装置を吊り下げ、
作業者は安全ロープに体重を支持された状態で吊り下げ式養生装置の中または上方で建物外面に対する作業をすること、
を特徴とする建物外面に対する作業方法。
【請求項１６】
吊り下げ式養生装置は、下部に設けられた上向きに開口した箱形の装置本体と、装置本体の上側に備えられて、上方と建物側前面以外を養生シートまたは養生ネットでコ字状に囲う囲い養生部を含むこと、
を特徴とする請求項１乃至１５の内のいずれか一項記載の建物外面に対する作業方法。
【請求項１７】
建物の外面に対する作業空間を確保しながら屋上近くから吊り下げ式養生装置近くまで、または屋上近くから地上近くまで養生シートまたは養生ネットを配設すること、
を特徴とする請求項１乃至１６の内のいずれか一項記載の建物外面に対する作業方法。
【請求項１８】
建物の外面に対する作業空間を確保しながら吊り下げ式養生装置の上方から吊り下げ式養生装置近くまで、または吊り下げ式養生装置の上方から吊り下げ式養生装置の下方まで養生シートまたは養生ネットを配設すること、
を特徴とする請求項１乃至１６の内のいずれか一項記載の建物外面に対する作業方法。
【手続補正２】
【補正対象書類名】明細書
【補正対象項目名】０００４
【補正方法】変更
【補正の内容】
【０００４】
請求項１記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けた登降装置により吊持するようにし、
作業者は安全ロープに体重を支持された状態で吊り下げ式養生装置の中または上方で建物外面に対する作業をし、
作業者が作業位置を上または下に移動するに連れて、登降装置により吊り下げ式養生装置を上または下に移動すること、
を特徴としている。
請求項２記載の発明では、
登降装置は、回転式電動工具の回転力を受けて登高動作可能としたこと、
を特徴としている。
請求項３記載の発明では、
回転式電動工具は充電式としたこと、
を特徴としている。
請求項４記載の発明では、
登降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたことを特徴としている。
請求項５記載の発明では、
登降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
入口部及び出口部とプーリの間に設けられて、入口側ロープと出口側ロープを分離する分離部と、
減速手段または支持体に設けられて、吊り下げロープ入口側の外部への引き出しの制限・制限解除をする制限手段と、
を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されていること、
を特徴としている。
請求項４、５において、入口部と出口部に形成された入口通路部と出口通路部は半割円柱状としても良い。また請求項５において、分離部をプーリのロープを巻き掛ける溝の中に遊挿させても良い。
請求項６記載の発明では、
登降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
を備え、
制限手段は、
プーリと出口部の間のロープが通る経路に配備されてロープが当接するロープ当接部と、
ロープが入口部から外側に引き出される方向へ移動しようとするとき、ロープ当接部に当接したロープに食い込んで移動を制限し、反対方向へ移動しようとする際は、ロープから離間して移動を許容するように構成されたカムと、
カムをロープに食い込む方向へ付勢する付勢手段と、
カムをロープから離間させて制限を解除する解除手段と、
を含み、
ロープ当接部がプーリのロープを巻き掛ける溝の中に遊挿されていること、
を特徴としている。
請求項６において、ロープ当接部のロープが当接する外側面にロープ溝を形成しても良い。また、入口部と出口部に形成した入口通路部と出口通路部が対向するようにして、入口部と出口部を間隔を開けて対向配置し、入口部と出口部の間隔を開けた隙間を通して、外部と入口通路部の間でロープを出し入れしたり、外部と出口通路部の間でロープを出し入れ可能に形成しても良い。また、入口部と出口部に形成した入口通路部と出口通路部を半割円柱状としても良い。また、入口部及び出口部とプーリの間に、入口側ロープと出口側ロープを分離する分離部を設け、このロープ当接部を分離部と一体にして備えても良い。
請求項７記載の発明では、
登降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
入口部及び出口部とプーリの間に設けられて、入口側ロープと出口側ロープを分離する分離部と、
支持体に設けられて、プーリの前面または前面と側面を開閉自在に覆うプーリカバーと、
プーリカバーを閉状態にロックしたり、ロック解除したりするロック手段と、を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されており、
プーリカバーは、プーリの入口部及び出口部とは反対側を開閉軸として、入口部及び出口部側を開閉可能になっており、
プーリカバーに、閉状態にロックされたとき入口部と出口部の間の隙間に入り、ロープが入口通路部または出口通路部から外れるのを邪魔する邪魔部を設けたこと、
を特徴としている。
請求項７において、入口部と出口部に形成された入口通路部と出口通路部を半割円柱状としても良い。
請求項８記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動すること、
を特徴としている。
請求項９記載の発明では、
ロープ昇降装置は、回転式電動工具の回転力を受けて吊り下げロープの上昇を可能としたこと、
を特徴としている。
請求項１０記載の発明では、
回転式電動工具は充電式としたこと、
を特徴としている。
請求項１１記載の発明では、
ロープ昇降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたことを特徴としている。
請求項１２記載の発明では、
ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
入口部及び出口部とプーリの間に設けられて、入口側ロープと出口側ロープを分離する分離部と、
減速手段または支持体に設けられて、吊り下げロープ入口側の外部への引き出しの制限・制限解除をする制限手段と、
を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されていること、
を特徴としている。
請求項１１、１２において、入口部と出口部に形成された入口通路部と出口通路部は半割円柱状としても良い。また請求項１２において、分離部をプーリのロープを巻き掛ける溝の中に遊挿させても良い。
請求項１３記載の発明では、
ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
を備え、
制限手段は、
プーリと出口部の間のロープが通る経路に配備されてロープが当接するロープ当接部と、
ロープが入口部から外側に引き出される方向へ移動しようとするとき、ロープ当接部に当接したロープに食い込んで移動を制限し、反対方向へ移動しようとする際は、ロープから離間して移動を許容するように構成されたカムと、
カムをロープに食い込む方向へ付勢する付勢手段と、
カムをロープから離間させて制限を解除する解除手段と、
を含み、
ロープ当接部がプーリのロープを巻き掛ける溝の中に遊挿されていること、
を特徴としている。
請求項１３において、ロープ当接部のロープが当接する外側面にロープ溝を形成しても良い。また、入口部と出口部に形成した入口通路部と出口通路部が対向するようにして、入口部と出口部を間隔を開けて対向配置し、入口部と出口部の間隔を開けた隙間を通して、外部と入口通路部の間でロープを出し入れしたり、外部と出口通路部の間でロープを出し入れ可能に形成しても良い。また、入口部と出口部に形成した入口通路部と出口通路部を半割円柱状としても良い。また、入口部及び出口部とプーリの間に、入口側ロープと出口側ロープを分離する分離部を設け、このロープ当接部を分離部と一体にして備えても良い。
請求項１４記載の発明では、
ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
入口部及び出口部とプーリの間に設けられて、入口側ロープと出口側ロープを分離する分離部と、
支持体に設けられて、プーリの前面または前面と側面を開閉自在に覆うプーリカバーと、
プーリカバーを閉状態にロックしたり、ロック解除したりするロック手段と、を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されており、
プーリカバーは、プーリの入口部及び出口部とは反対側を開閉軸として、入口部及び出口部側を開閉可能になっており、
プーリカバーに、閉状態にロックされたとき入口部と出口部の間の隙間に入り、ロープが入口通路部または出口通路部から外れるのを邪魔する邪魔部を設けたこと、
を特徴としている。
請求項１４において、入口部と出口部に形成された入口通路部と出口通路部を半割円柱状としても良い。
請求項１５記載の発明では、
建物の屋上から作業者が安全ロープに吊り下がりながら建物外面に対する作業を行う方法であって、
建物屋上のパラペットに固定した支持具から垂らした吊り下げロープに、上方が開口した箱形の吊り下げ式養生装置を吊り下げ、
作業者は安全ロープに体重を支持された状態で吊り下げ式養生装置の中または上方で建物外面に対する作業をすること、
を特徴としている。
請求項１６記載の発明では、
吊り下げ式養生装置は、下部に設けられた上向きに開口した箱形の装置本体と、装置本体の上側に備えられて、上方と建物側前面以外を養生シートまたは養生ネットでコ字状に囲う囲い養生部を含むこと、
を特徴としている。
請求項１７記載の発明では、
建物の外面に対する作業空間を確保しながら屋上近くから吊り下げ式養生装置近くまで、または屋上近くから地上近くまで養生シートまたは養生ネットを配設すること、
を特徴としている。
請求項１８記載の発明では、
建物の外面に対する作業空間を確保しながら吊り下げ式養生装置の上方から吊り下げ式養生装置近くまで、または吊り下げ式養生装置の上方から吊り下げ式養生装置の下方まで養生シートまたは養生ネットを配設すること、
を特徴としている。
【手続補正３】
【補正対象書類名】明細書
【補正対象項目名】０００５
【補正方法】変更
【補正の内容】
【０００５】
本発明によれば、作業者が建物屋上から下がった安全ロープに支持されて建物外面に対する作業を行うに際し、吊り下げ式養生装置の中または上方で作業を行うことができ、作業で生じた壁・補修部材等の破片や道具等の落下を防止できる。また、吊り下げ式養生装置に作業者の体重を掛けないので、吊り下げ式養生装置、支持具、登降装置、ロープ昇降装置等をそれほど頑強・大型にする必要はなく、設備負担が少なくて済む。
また他の本発明によれば、登降装置は作業者が携帯する電動工具により登高動作をさせることができ、作業者が手動で吊り上げ式養生装置を上昇させなくて済み、作業負担が少ない。
また他の発明によれば、登降装置またはロープ昇降装置に、小型で減速比の大きな差動減速式の減速手段を用いたことにより、制限手段を解除した状態でプーリを逆転させながら吊り下げロープを入口側から外側に引き出す際、緩行動作を行わせることができる。
また他の発明によれば、登降装置またはロープ昇降装置の入口部及び出口部とプーリの間に吊り下げロープの入口側ロープと出口側ロープを分離する分離部を設けたので、プーリの正転時に出口側ロープがプーリの入口側に巻き込まれたり、プーリの逆転時に入口側ロープがプーリの出口側に巻き込まれるのを防止できる。また、入口部と出口部に入口通路部と出口通路部を形成し、入口通路部と出口通路部が対向するようにして、入口部と出口部を間隔を開けて対向配置し、入口部と出口部の間隔を開けた隙間を通して外部と入口通路部の間で吊り下げロープを出し入れしたり、外部と出口通路部の間で吊り下げロープを出し入れ可能に形成したので、プーリへの吊り下げロープの装填・取り外しが容易になる。
また他の発明によれば、プーリの前面または前面と側面を開閉自在に覆うプーリカバーを備えた場合に、プーリカバーに、閉状態にロックされたとき入口部と出口部の間の隙間に入り吊り下げロープが入口部または出口部から外れるのを邪魔する邪魔部を設けたので、使用中に吊り下げロープが入口部または出口部から外れてプーリカバーを不用意に開放するのを防止できる。
また他の発明によれば、建物の外面に対する作業空間を確保しながら屋上近くから吊り下げ式養生装置近くまで、または地上近くまで養生シートまたは養生ネットを配設することにより、屋上近くから吊り下げ式養生装置までの間で作業しているときに壁や補修部材等の破片や作業道具等を落下させても、建物の周囲への飛散を防止できる。
また他の発明によれば、建物の外面に対する作業空間を確保しながら吊り下げ式養生装置の上方から吊り下げ式養生装置近くまで、または吊り下げ式養生装置の上方から吊り下げ式養生装置の下方まで養生シートまたは養生ネットを配設することにより、吊り下げ式養生装置の上方で作業しているときに壁や補修部材等の破片や作業道具等を落下させても、建物の周囲への飛散を防止できる。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けたロープ牽引装置により吊持するようにし、
作業者は安全ロープに体重を支持された状態で吊り下げ式養生装置の中または上方で建物外面に対する作業をし、
作業者が作業位置を上または下に移動するに連れて、ロープ牽引装置により吊り下げ式養生装置を上または下に移動するようにし、
ロープ牽引装置は、回転式電動工具の回転力を受けて登高動作可能とし、
更に、ロープ牽引装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたこと、
を特徴とする建物外面に対する作業方法。
【請求項２】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けたロープ牽引装置により吊持するようにし、
作業者は安全ロープに体重を支持された状態で吊り下げ式養生装置の中または上方で建物外面に対する作業をし、
作業者が作業位置を上または下に移動するに連れて、ロープ牽引装置により吊り下げ式養生装置を上または下に移動するようにし、
ロープ牽引装置は、回転式電動工具の回転力を受けて登高動作可能とし、
更に、ロープ牽引装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
入口部及び出口部とプーリの間に設けられて、入口側ロープと出口側ロープを分離する分離部と、
減速手段または支持体に設けられて、吊り下げロープ入口側の外部への引き出しの制限・制限解除をする制限手段と、
を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されていること、
を特徴とする建物外面に対する作業方法。
【請求項３】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けたロープ牽引装置により吊持するようにし、
作業者は安全ロープに体重を支持された状態で吊り下げ式養生装置の中または上方で建物外面に対する作業をし、
作業者が作業位置を上または下に移動するに連れて、ロープ牽引装置により吊り下げ式養生装置を上または下に移動するようにし、
ロープ牽引装置は、回転式電動工具の回転力を受けて登高動作可能とし、
更に、ロープ牽引装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
を備え、
制限手段は、
プーリと出口部の間のロープが通る経路に配備されてロープが当接するロープ当接部と、
ロープが入口部から外側に引き出される方向へ移動しようとするとき、ロープ当接部に当接したロープに食い込んで移動を制限し、反対方向へ移動しようとする際は、ロープから離間して移動を許容するように構成されたカムと、
カムをロープに食い込む方向へ付勢する付勢手段と、
カムをロープから離間させて制限を解除する解除手段と、
を含み、
ロープ当接部がプーリのロープを巻き掛ける溝の中に遊挿されていること、
を特徴とする建物外面に対する作業方法。
【請求項４】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けたロープ牽引装置により吊持するようにし、
作業者は安全ロープに体重を支持された状態で吊り下げ式養生装置の中または上方で建物外面に対する作業をし、
作業者が作業位置を上または下に移動するに連れて、ロープ牽引装置により吊り下げ式養生装置を上または下に移動するようにし、
ロープ牽引装置は、回転式電動工具の回転力を受けて登高動作可能とし、
更に、ロープ牽引装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
入口部及び出口部とプーリの間に設けられて、入口側ロープと出口側ロープを分離する分離部と、
支持体に設けられて、プーリの前面または前面と側面を開閉自在に覆うプーリカバーと、
プーリカバーを閉状態にロックしたり、ロック解除したりするロック手段と、を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されており、
プーリカバーは、プーリの入口部及び出口部とは反対側を開閉軸として、入口部及び出口部側を開閉可能になっており、
プーリカバーに、閉状態にロックされたとき入口部と出口部の間の隙間に入り、ロープが入口通路部または出口通路部から外れるのを邪魔する邪魔部を設けたこと、
を特徴とする建物外面に対する作業方法。
【請求項５】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動するようにし、
ロープ昇降装置は、回転式電動工具の回転力を受けて吊り下げロープの上昇を可能とし、
更に、ロープ昇降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたこと、
を特徴とする建物外面に対する作業方法。
【請求項６】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動するようにし、
ロープ昇降装置は、回転式電動工具の回転力を受けて吊り下げロープの上昇を可能とし、
更に、ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に
伝達する差動減速式の減速手段と、
減速手段が装着された支持体と、
支持体に設けられて、プーリに巻き掛けられるロープの入口と出口を形成する入口部及び出口部と、
入口部及び出口部とプーリの間に設けられて、入口側ロープと出口側ロープを分離する分離部と、
減速手段または支持体に設けられて、吊り下げロープ入口側の外部への引き出しの制限・制限解除をする制限手段と、
を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されていること、
を特徴とする建物外面に対する作業方法。
【請求項７】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動するようにし、
ロープ昇降装置は、回転式電動工具の回転力を受けて吊り下げロープの上昇を可能とし、
更に、ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
を備え、
制限手段は、
プーリと出口部の間のロープが通る経路に配備されてロープが当接するロープ当接部と、
ロープが入口部から外側に引き出される方向へ移動しようとするとき、ロープ当接部に当接したロープに食い込んで移動を制限し、反対方向へ移動しようとする際は、ロープから離間して移動を許容するように構成されたカムと、
カムをロープに食い込む方向へ付勢する付勢手段と、
カムをロープから離間させて制限を解除する解除手段と、
を含み、
ロープ当接部がプーリのロープを巻き掛ける溝の中に遊挿されていること、
を特徴とする建物外面に対する作業方法。
【請求項８】
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動するようにし、
ロープ昇降装置は、回転式電動工具の回転力を受けて吊り下げロープの上昇を可能とし、
更に、ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
入口部及び出口部とプーリの間に設けられて、入口側ロープと出口側ロープを分離する分離部と、
支持体に設けられて、プーリの前面または前面と側面を開閉自在に覆うプーリカバーと、
プーリカバーを閉状態にロックしたり、ロック解除したりするロック手段と、を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されており、
プーリカバーは、プーリの入口部及び出口部とは反対側を開閉軸として、入口部及び出口部側を開閉可能になっており、
プーリカバーに、閉状態にロックされたとき入口部と出口部の間の隙間に入り、ロープが入口通路部または出口通路部から外れるのを邪魔する邪魔部を設けたこと、
を特徴とする建物外面に対する作業方法。
【手続補正２】
【補正対象書類名】明細書
【補正対象項目名】０００４
【補正方法】変更
【補正の内容】
【０００４】
請求項１記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けたロープ牽引装置により吊持するようにし、
作業者は安全ロープに体重を支持された状態で吊り下げ式養生装置の中または上方で建物外面に対する作業をし、
作業者が作業位置を上または下に移動するに連れて、ロープ牽引装置により吊り下げ式養生装置を上または下に移動するようにし、
ロープ牽引装置は、回転式電動工具の回転力を受けて登高動作可能とし、
更に、ロープ牽引装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたこと、
を特徴としている。
請求項２記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けたロープ牽引装置により吊持するようにし、
作業者は安全ロープに体重を支持された状態で吊り下げ式養生装置の中または上方で建物外面に対する作業をし、
作業者が作業位置を上または下に移動するに連れて、ロープ牽引装置により吊り下げ式養生装置を上または下に移動するようにし、
ロープ牽引装置は、回転式電動工具の回転力を受けて登高動作可能とし、
更に、ロープ牽引装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
入口部及び出口部とプーリの間に設けられて、入口側ロープと出口側ロープを分離する分離部と、
減速手段または支持体に設けられて、吊り下げロープ入口側の外部への引き出しの制限・制限解除をする制限手段と、
を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されていること、
を特徴としている。
請求項１、２において、入口部と出口部に形成された入口通路部と出口通路部は半割円柱状としても良い。また請求項２において、分離部をプーリのロープを巻き掛ける溝の中に遊挿させても良い。
請求項３記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けたロープ牽引装置により吊持するようにし、
作業者は安全ロープに体重を支持された状態で吊り下げ式養生装置の中または上方で建物外面に対する作業をし、
作業者が作業位置を上または下に移動するに連れて、ロープ牽引装置により吊り下げ式養生装置を上または下に移動するようにし、
ロープ牽引装置は、回転式電動工具の回転力を受けて登高動作可能とし、
更に、ロープ牽引装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
を備え、
制限手段は、
プーリと出口部の間のロープが通る経路に配備されてロープが当接するロープ当接部と、
ロープが入口部から外側に引き出される方向へ移動しようとするとき、ロープ当接部に当接したロープに食い込んで移動を制限し、反対方向へ移動しようとする際は、ロープから離間して移動を許容するように構成されたカムと、
カムをロープに食い込む方向へ付勢する付勢手段と、
カムをロープから離間させて制限を解除する解除手段と、
を含み、
ロープ当接部がプーリのロープを巻き掛ける溝の中に遊挿されていること、
を特徴としている。
請求項３において、ロープ当接部のロープが当接する外側面にロープ溝を形成しても良い。また、入口部と出口部に形成した入口通路部と出口通路部が対向するようにして、入口部と出口部を間隔を開けて対向配置し、入口部と出口部の間隔を開けた隙間を通して、外部と入口通路部の間でロープを出し入れしたり、外部と出口通路部の間でロープを出し入れ可能に形成しても良い。また、入口部と出口部に形成した入口通路部と出口通路部を半割円柱状としても良い。また、入口部及び出口部とプーリの間に、入口側ロープと出口側ロープを分離する分離部を設け、このロープ当接部を分離部と一体にして備えても良い。
請求項４記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
この吊り下げ式養生装置は吊り下げロープに登降自在に取り付けたロープ牽引装置により吊持するようにし、
作業者は安全ロープに体重を支持された状態で吊り下げ式養生装置の中または上方で建物外面に対する作業をし、
作業者が作業位置を上または下に移動するに連れて、ロープ牽引装置により吊り下げ式養生装置を上または下に移動するようにし、
ロープ牽引装置は、回転式電動工具の回転力を受けて登高動作可能とし、
更に、ロープ牽引装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
入口部及び出口部とプーリの間に設けられて、入口側ロープと出口側ロープを分離する分離部と、
支持体に設けられて、プーリの前面または前面と側面を開閉自在に覆うプーリカバーと、
プーリカバーを閉状態にロックしたり、ロック解除したりするロック手段と、を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されており、
プーリカバーは、プーリの入口部及び出口部とは反対側を開閉軸として、入口部及び出口部側を開閉可能になっており、
プーリカバーに、閉状態にロックされたとき入口部と出口部の間の隙間に入り、ロープが入口通路部または出口通路部から外れるのを邪魔する邪魔部を設けたこと、
を特徴としている。
請求項４において、入口部と出口部に形成された入口通路部と出口通路部は半割円柱状としても良い。
請求項５記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動するようにし、
ロープ昇降装置は、回転式電動工具の回転力を受けて吊り下げロープの上昇を可能とし、
更に、ロープ昇降装置は、
回転式電動工具の出力軸を着脱自在に連結可能な入力軸と、吊り下げロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられる吊り下げロープの入口と出口を形成する入口部及び出口部と、
減速手段または支持体に設けられて、吊り下げロープ入口側の外部への引き出しの制限・制限解除をする制限手段と、
を備えたこと、
を特徴としている。
請求項６記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動するようにし、
ロープ昇降装置は、回転式電動工具の回転力を受けて吊り下げロープの上昇を可能とし、
更に、ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に
伝達する差動減速式の減速手段と、
減速手段が装着された支持体と、
支持体に設けられて、プーリに巻き掛けられるロープの入口と出口を形成する入口部及び出口部と、
入口部及び出口部とプーリの間に設けられて、入口側ロープと出口側ロープを分離する分離部と、
減速手段または支持体に設けられて、吊り下げロープ入口側の外部への引き出しの制限・制限解除をする制限手段と、
を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されていること、
を特徴としている。
請求項５、６において、入口部と出口部に形成された入口通路部と出口通路部は半割円柱状としても良い。また請求項６において、分離部をプーリのロープを巻き掛ける溝の中に遊挿させても良い。
請求項７記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動するようにし、
ロープ昇降装置は、回転式電動工具の回転力を受けて吊り下げロープの上昇を可能とし、
更に、ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
を備え、
制限手段は、
プーリと出口部の間のロープが通る経路に配備されてロープが当接するロープ当接部と、
ロープが入口部から外側に引き出される方向へ移動しようとするとき、ロープ当接部に当接したロープに食い込んで移動を制限し、反対方向へ移動しようとする際は、ロープから離間して移動を許容するように構成されたカムと、
カムをロープに食い込む方向へ付勢する付勢手段と、
カムをロープから離間させて制限を解除する解除手段と、
を含み、
ロープ当接部がプーリのロープを巻き掛ける溝の中に遊挿されていること、
を特徴としている。
請求項７において、ロープ当接部のロープが当接する外側面にロープ溝を形成しても良い。また、入口部と出口部に形成した入口通路部と出口通路部が対向するようにして、入口部と出口部を間隔を開けて対向配置し、入口部と出口部の間隔を開けた隙間を通して、外部と入口通路部の間でロープを出し入れしたり、外部と出口通路部の間でロープを出し入れ可能に形成しても良い。また、入口部と出口部に形成した入口通路部と出口通路部を半割円柱状としても良い。また、入口部及び出口部とプーリの間に、入口側ロープと出口側ロープを分離する分離部を設け、このロープ当接部を分離部と一体にして備えても良い。
請求項８記載の発明では、
建物の屋上から作業者が安全ロープに吊り下がりながら建物外面に対する作業を行う方法であって、
建物屋上のパラペットに固定した支持具から垂らした吊り下げロープに、建物外面に沿って昇降自在で、上方が開口した箱形の吊り下げ式養生装置を吊り下げ、
ロープ昇降装置により吊り下げロープを昇降させて吊り下げ式養生装置を昇降可能とし、
作業者は安全ロープに体重を支持された状態で吊り下げ式養生装置の中または上方で建物外面に対する作業をし、
作業者の作業位置が上または下に移動するに連れて、ロープ昇降装置により吊り下げ式養生装置を上または下に移動するようにし、
ロープ昇降装置は、回転式電動工具の回転力を受けて吊り下げロープの上昇を可能とし、
更に、ロープ昇降装置は、
回転式電動工具の出力軸を着脱自在に連結可能な入力軸と、ロープを着脱自在に巻き掛け可能なプーリと結合された出力軸を有し、入力軸に加えられた回転を減速して出力軸に伝達する差動減速式の減速手段と、
減速手段が装着された支持体と、
支持体に設けられて、プーリに巻き掛けられるロープの入口と出口を形成する入口部及び出口部と、
減速手段または支持体に設けられて、吊り下げロープ入口側の外部への引き出しの制限・制限解除をする制限手段と、
入口部及び出口部とプーリの間に設けられて、入口側ロープと出口側ロープを分離する分離部と、
支持体に設けられて、プーリの前面または前面と側面を開閉自在に覆うプーリカバーと、
プーリカバーを閉状態にロックしたり、ロック解除したりするロック手段と、を備え、
入口部と出口部には入口通路部と出口通路部が形成されるとともに、入口通路部と出口通路部が対向するようにして、入口部と出口部が間隔を開けて対向配置されており、
入口部と出口部の間隔を開けた隙間を通して、外部と入口通路部の間でロープを出し入れしたり、外部と出口通路部の間でロープを出し入れ可能に形成されており、
プーリカバーは、プーリの入口部及び出口部とは反対側を開閉軸として、入口部及び出口部側を開閉可能になっており、
プーリカバーに、閉状態にロックされたとき入口部と出口部の間の隙間に入り、ロープが入口通路部または出口通路部から外れるのを邪魔する邪魔部を設けたこと、
を特徴としている。
請求項８において、入口部と出口部に形成された入口通路部と出口通路部は半割円柱状としても良い。
【手続補正３】
【補正対象書類名】明細書
【補正対象項目名】０００５
【補正方法】変更
【補正の内容】
【０００５】
本発明によれば、作業者が建物屋上から下がった安全ロープに支持されて建物外面に対する作業を行うに際し、吊り下げ式養生装置の中または上方で作業を行うことができ、作業で生じた壁・補修部材等の破片や道具等の落下を防止できる。また、吊り下げ式養生装置に作業者の体重を掛けないので、吊り下げ式養生装置、支持具、ロープ牽引装置、ロープ昇降装置等をそれほど頑強・大型にする必要はなく、設備負担が少なくて済む。
また、ロープ牽引装置は作業者が携帯する電動工具により登高動作をさせることができ、作業者が手動で吊り上げ式養生装置を上昇させなくて済み、作業負担が少ない。
また、ロープ牽引装置またはロープ昇降装置に、小型で減速比の大きな差動減速式の減速手段を用いたことにより、制限手段を解除した状態でプーリを逆転させながら吊り下げロープを入口側から外側に引き出す際、緩行動作を行わせることができる。
また他の発明によれば、ロープ牽引装置またはロープ昇降装置の入口部及び出口部とプーリの間に吊り下げロープの入口側ロープと出口側ロープを分離する分離部を設けたので、プーリの正転時に出口側ロープがプーリの入口側に巻き込まれたり、プーリの逆転時に入口側ロープがプーリの出口側に巻き込まれるのを防止できる。また、入口部と出口部に入口通路部と出口通路部を形成し、入口通路部と出口通路部が対向するようにして、入口部と出口部を間隔を開けて対向配置し、入口部と出口部の間隔を開けた隙間を通して外部と入口通路部の間で吊り下げロープを出し入れしたり、外部と出口通路部の間で吊り下げロープを出し入れ可能に形成したので、プーリへの吊り下げロープの装填・取り外しが容易になる。
また他の発明によれば、プーリの前面または前面と側面を開閉自在に覆うプーリカバーを備えた場合に、プーリカバーに、閉状態にロックされたとき入口部と出口部の間の隙間に入り吊り下げロープが入口部または出口部から外れるのを邪魔する邪魔部を設けたので、使用中に吊り下げロープが入口部または出口部から外れてプーリカバーを不用意に開放するのを防止できる。